(57)【要約】【課題】運転者が意図に沿ったタイミングで操作量による運転状態の切り換えを行うことができる車両システムを提供する。【解決手段】車両の周辺情報及び地図情報に基づいて生成された走行計画を用いて車両の走行を制御する自動運転状態及び車両の周辺情報に基づく車両制御と運転者の運転操作とを協調させて車両を走行させる協調運転状態のうち少なくとも一方を含む第１の運転状態と、運転者の運転操作を車両の走行に反映させる第２の運転状態と、を切換可能な車両システムであって、車両のステアリング操作、アクセル操作及びブレーキ操作のうち少なくとも１つに関する運転者の運転操作の操作量を取得する運転操作情報取得部と、車両が第１の運転状態である場合、操作量が第１の閾値以上になったときに車両を第２の運転状態に切り換える運転状態切換部と、第１の閾値に対する操作量の状態を表示する表示部とを備える。【選択図】図５
2016133984.tif 000002
【特許請求の範囲】
【請求項１】
車両の周辺情報及び前記車両が予め有する地図情報に基づいて生成された走行計画を用いて前記車両の走行を制御する自動運転状態、及び、前記車両の周辺情報に基づく車両制御と運転者の運転操作とを協調させて前記車両を走行させる協調運転状態のうち少なくとも一方を含む第１の運転状態と、前記運転者の運転操作を前記車両の走行に反映させる第２の運転状態と、を切換可能な車両システムであって、
前記車両のステアリング操作、アクセル操作及びブレーキ操作のうち少なくとも１つに関する前記運転者の運転操作の操作量を取得する運転操作情報取得部と、
前記車両が前記第１の運転状態である場合、前記操作量が第１の閾値以上になったときに前記車両を前記第２の運転状態に切り換える運転状態切換部と、
前記第１の閾値に対する前記操作量の状態を表示する表示部と、
を備える、車両システム。
【請求項２】
前記第１の運転状態には、前記自動運転状態及び前記協調運転状態の両方が含まれ、
前記運転状態切換部は、前記車両が前記自動運転状態である場合に前記操作量が第２の閾値以上かつ前記第１の閾値未満になったとき前記車両を前記協調運転状態に切り換え、前記車両が協調運転状態である場合に前記操作量が前記第２の閾値未満になったとき前記車両を前記自動運転状態に切り換え、前記車両の運転状態が協調運転状態である場合に前記操作量が前記第１の閾値以上になったとき前記車両を前記第２の運転状態に切り換え、
前記表示部は、前記第１の閾値及び前記第２の閾値に対する前記操作量の状態を表示する、請求項１に記載の車両システム。
【発明の詳細な説明】
【技術分野】
【０００１】
本発明は、車両システムに関する。
【背景技術】
【０００２】
車両システムに関する技術文献として、例えば、特許文献１が知られている。特許文献１には、自動運転中の車両において、運転者によるステアリング操作の操作量、ブレーキ操作の操作量、アクセル操作の操作量のうち少なくとも１つをモニタし、モニタされた操作量が所定の閾値を超えた場合には、自動運転状態を停止して手動運転状態へ切り換えることが記載されている。
【先行技術文献】
【特許文献】
【０００３】
【特許文献１】ＵＳ特許第８６７０８９１号明細書
【発明の概要】
【発明が解決しようとする課題】
【０００４】
しかしながら、前述した従来の装置においては、運転者がどのくらいの操作量を入力すれば自動運転状態から手動運転状態に切り換えられるのか分からず、運転者は意図に沿ったタイミングで手動運転状態への切り換えを行えないおそれがある。この点は、ＬＫＡ［Lane  Keeping  Assist］又はＡＣＣ［Adaptive  Cruise  Control］等の運転支援制御を実行する運転状態と手動運転状態との切り換えにおいても同様である。
【０００５】
そこで、本技術分野では、運転者が意図に沿ったタイミングで操作量による運転状態の切り換えを行うことができる車両システムを提供することが望まれている。
【課題を解決するための手段】
【０００６】
上記課題を解決するため、本発明の一態様は、車両の周辺情報及び車両が予め有する地図情報に基づいて生成された走行計画を用いて車両の走行を制御する自動運転状態、及び、車両の周辺情報に基づく車両制御と運転者の運転操作とを協調させて車両を走行させる協調運転状態のうち少なくとも一方を含む第１の運転状態と、運転者の運転操作を車両の走行に反映させる第２の運転状態と、を切換可能な車両システムであって、車両のステアリング操作、アクセル操作及びブレーキ操作のうち少なくとも１つに関する運転者の運転操作の操作量を取得する運転操作情報取得部と、車両が第１の運転状態である場合、操作量が第１の閾値以上になったときに車両を第２の運転状態に切り換える運転状態切換部と、第１の閾値に対する操作量の状態を表示する表示部と、を備える。
【０００７】
本発明の一態様によれば、運転者による操作量が第１の閾値以上になったときに、車両を第１の運転状態から第２の運転状態に切り換える車両システムにおいて、第１の閾値に対する操作量の状態を表示する表示部を備えることで、運転者は車両の運転状態が切り替わるまでの操作量を把握することができる。従って、この車両システムによれば、運転者が意図に沿ったタイミングで操作量による運転状態の切り換えを行うことができる。
【０００８】
上述した本発明の一態様に係る車両システムにおいて、第１の運転状態には、自動運転状態及び協調運転状態の両方が含まれ、運転状態切換部は、車両が自動運転状態である場合に操作量が第２の閾値以上かつ第１の閾値未満になったとき車両を協調運転状態に切り換え、車両が協調運転状態である場合に操作量が第２の閾値未満になったとき車両を自動運転状態に切り換え、車両の運転状態が協調運転状態である場合に操作量が第１の閾値以上になったとき車両を第２の運転状態に切り換え、表示部は、第１の閾値及び第２の閾値に対する操作量の状態を表示してもよい。
この車両システムによれば、表示部によって、車両の運転状態を切り換えるための第１の閾値及び第２の閾値に対する操作量の状態が表示されるので、運転者が意図に沿ったタイミングで操作量による運転状態の切り換えを行うことができる。
【発明の効果】
【０００９】
以上説明したように、本発明の種々の態様に係る車両システムによれば、運転者が意図に沿ったタイミングで操作量による運転状態の切り換えを行うことができる。
【図面の簡単な説明】
【００１０】
【図１】図１は、本実施形態に係る車両システム１００の構成を示すブロック図である。
【図２】図２は、図１のＥＣＵを説明するブロック図である。
【図３】図３は、操作量と運転状態の遷移との関係の一例を説明する図である。
【図４】図４は、介入判定閾値及び手動運転開始閾値に対する操作量の状態のインジケーターバーとしての表示例を示す図である。
【図５】図５は、走行計画生成処理の一例を説明するフローチャートである。
【図６】図６は、運転操作の操作量を用いて自動運転状態又は協調運転状態の運転状態を切り換える切換処理の一例を説明するフローチャートである。
【図７】図７は、操作量と、運転状態の遷移、現在運転状態通知のオンオフ、操作抵抗の関係の一例を説明する図である。
【図８】図８は、操作量の増加と、運転状態の遷移、移行後通知のオンオフ、移行前通知のオンオフ、操作抵抗の一例を説明する図である。
【図９】図９は、操作量の減少と、運転状態の遷移、移行後通知のオンオフ、移行前通知のオンオフ、操作抵抗の一例を説明する図である。
【図１０】図１０は、走行計画生成処理の一例を説明するフローチャートである。
【図１１】図１１は、運転操作の操作量を用いて手動運転状態の運転状態を切り換える切換処理の一例を説明するフローチャートである。
【図１２】図１２は、運転操作の操作量を用いて自動運転状態又は協調運転状態の運転状態を切り換える切換処理の一例を説明するフローチャートである。
【図１３】図１３は、操作量の表示処理の一例を説明するフローチャートである。
【図１４】図１４は、操作量の増加と、運転状態の遷移、移行後通知のオンオフ、移行前通知のオンオフの他の例を説明する図である。
【図１５】図１５は、操作量の減少と、運転状態の遷移、移行後通知のオンオフ、移行前通知のオンオフの他の例を説明する図である。
【図１６】図１６は、操作量の増加と、運転状態の遷移、移行後通知のオンオフ、移行前通知のオンオフの更に他の例を説明する図である。
【発明を実施するための形態】
【００１１】
以下、本発明の実施形態について図面を参照して説明する。なお、各図において同一又は相当部分には同一符号を付し、重複する説明を省略する。
【００１２】
図１は、本実施形態に係る車両システム１００の構成を示すブロック図である。図２は、図１の車両システム１００におけるＥＣＵ（Electronic Control Unit）１０を説明するブロック図である。図１に示すように、車両システム１００は、乗用車などの車両Ｖに搭載される。車両システム１００は、外部センサ１、ＧＰＳ（Global Positioning System）受信部２、内部センサ３、地図データベース４、ナビゲーションシステム５、アクチュエータ６、ＨＭＩ（Human Machine Interface）７、及び、ＥＣＵ１０を備えている。
【００１３】
外部センサ１は、車両Ｖの周辺情報である外部状況を検出する検出機器である。外部センサ１は、カメラ、レーダー（Radar）、及びライダー（LIDER：Laser Imaging Detection and Ranging）のうち少なくとも一つを含む。
【００１４】
カメラは、車両Ｖの外部状況を撮像する撮像機器である。カメラは、例えば、車両Ｖのフロントガラスの裏側に設けられている。カメラは、単眼カメラであってもよく、ステレオカメラであってもよい。ステレオカメラは、例えば両眼視差を再現するように配置された二つの撮像部を有している。ステレオカメラの撮像情報には、奥行き方向の情報も含まれている。カメラは、車両Ｖの外部状況に関する撮像情報をＥＣＵ１０へ出力する。
【００１５】
レーダーは、電波を利用して車両Ｖの外部の物体を検出する。電波は、例えばミリ波である。レーダーは、電波を車両Ｖの周囲に送信し、物体で反射された電波を受信して物体を検出する。レーダーは、例えば物体までの距離又は方向を物体情報として出力することができる。レーダーは、検出した物体情報をＥＣＵ１０へ出力する。なお、センサーフュージョンを行う場合には、反射された電波の受信情報をＥＣＵ１０へ出力してもよい。
【００１６】
ライダーは、光を利用して車両Ｖの外部の物体を検出する。ライダーは、光を車両Ｖの周囲に送信し、物体で反射された光を受信することで反射点までの距離を計測し、物体を検出する。ライダーは、例えば物体までの距離又は方向を物体情報として出力することができる。ライダーは、検出した物体情報をＥＣＵ１０へ出力する。なお、センサーフュージョンを行う場合には、反射された光の受信情報をＥＣＵ１０へ出力してもよい。なお、カメラ、ライダー及びレーダーは、必ずしも重複して備える必要はない。
【００１７】
ＧＰＳ受信部２は、３個以上のＧＰＳ衛星から信号を受信して、車両Ｖの位置を示す位置情報を取得する。位置情報には、例えば緯度及び経度が含まれる。ＧＰＳ受信部２は、測定した車両Ｖの位置情報をＥＣＵ１０へ出力する。なお、ＧＰＳ受信部２に代えて、車両Ｖが存在する緯度及び経度が特定できる他の手段を用いてもよい。
【００１８】
内部センサ３は、車両Ｖの走行状態に応じた情報、及び車両Ｖの運転者の運転操作に応じた情報（運転操作情報）を検出する検出器である。内部センサ３は、車両Ｖの走行状態に応じた情報を検出するために、車速センサ、加速度センサ、及びヨーレートセンサのうち少なくとも一つを含む。また、内部センサ３は、運転操作情報を検出するために、アクセルペダルセンサ、ブレーキペダルセンサ及びステアリングセンサのうち少なくとも一つを含む。
【００１９】
車速センサは、車両Ｖの速度を検出する検出器である。車速センサとしては、例えば、車両Ｖの車輪又は車輪と一体に回転するドライブシャフトなどに対して設けられ、車輪の回転速度を検出する車輪速センサが用いられる。車速センサは、車両Ｖの速度を含む車速情報（車輪速情報）をＥＣＵ１０へ出力する。
【００２０】
加速度センサは、車両Ｖの加速度を検出する検出器である。加速度センサは、例えば、車両Ｖの前後方向の加速度を検出する前後加速度センサと、車両Ｖの横加速度を検出する横加速度センサとを含んでいる。加速度センサは、車両Ｖの加速度を含む加速度情報をＥＣＵ１０へ出力する。
【００２１】
ヨーレートセンサは、車両Ｖの重心の鉛直軸周りのヨーレート（回転角速度）を検出する検出器である。ヨーレートセンサとしては、例えばジャイロセンサを用いることができる。ヨーレートセンサは、車両Ｖのヨーレートを含むヨーレート情報をＥＣＵ１０へ出力する。
【００２２】
アクセルペダルセンサは、例えばアクセルペダルの踏込み量を検出する検出器である。アクセルペダルの踏込み量は、例えば所定位置を基準としたアクセルペダルの位置（ペダル位置）である。所定位置は、定位置であってもよいし、所定のパラメータによって変更された位置であってもよい。アクセルペダルセンサは、例えば車両Ｖのアクセルペダルのシャフト部分に対して設けられる。アクセルペダルセンサは、アクセルペダルの踏込み量に応じた操作情報をＥＣＵ１０へ出力する。なお、アクセルペダルセンサは、後述する走行計画に含まれるアクセルペダルの制御目標値に応じてアクセルペダルのペダル位置が移動する場合には、アクセルペダル操作及びシステム制御入力の両方が反映されたペダル位置を検出する。一方、アクセルペダルセンサは、後述する走行計画に含まれるアクセルペダルの制御目標値に応じてアクセルペダルのペダル位置が移動しない場合には、アクセルペダル操作に応じたペダル位置を検出する。
【００２３】
ブレーキペダルセンサは、例えばブレーキペダルの踏込み量を検出する検出器である。ブレーキペダルの踏込み量は、例えば所定位置を基準としたブレーキペダルの位置（ペダル位置）である。所定位置は、定位置であってもよいし、所定のパラメータによって変更された位置であってもよい。ブレーキペダルセンサは、例えばブレーキペダルの部分に対して設けられる。ブレーキペダルセンサは、ブレーキペダルの操作力（ブレーキペダルに対する踏力やマスタシリンダの圧力など）を検出してもよい。ブレーキペダルセンサは、ブレーキペダルの踏込み量又は操作力に応じた操作情報をＥＣＵ１０へ出力する。なお、ブレーキペダルセンサは、後述する走行計画に含まれるブレーキペダルの制御目標値に応じてブレーキペダルのペダル位置が移動する場合には、ブレーキペダル操作及びシステム制御入力の両方が反映されたペダル位置を検出する。一方、ブレーキペダルセンサは、後述する走行計画に含まれるブレーキペダルの制御目標値に応じてブレーキペダルのペダル位置が移動しない場合には、ブレーキペダル操作に応じたペダル位置を検出する。
【００２４】
ステアリングセンサは、例えばステアリングの回転状態を検出する検出器である。回転状態の検出値は、例えば操舵トルク又は舵角である。ステアリングセンサは、例えば、車両Ｖのステアリングシャフトに対して設けられる。ステアリングセンサは、ステアリングの操舵トルク又は舵角を含む情報をＥＣＵ１０へ出力する。なお、ステアリングセンサは、後述する走行計画に含まれるステアリングの制御目標値に応じてステアリングが回転する場合には、ステアリング操作及びシステム制御入力の両方が反映されたトルク又は舵角を検出する。この場合における運転者の運転操作の操作量の情報取得について詳しくは後述する。一方、ステアリングセンサは、後述する走行計画に含まれるステアリングの制御目標値に応じてステアリングが回転しない場合には、ステアリング操作に応じたトルク又は舵角を検出する。
【００２５】
地図データベース４は、地図情報を備えたデータベースである。地図データベース４は、例えば、車両Ｖに搭載されたＨＤＤ（Hard disk drive）内に形成されている。地図情報には、例えば、道路の位置情報、道路形状の情報、交差点及び分岐点の位置情報が含まれる。道路形状の情報には、例えばカーブ、直線部の種別、カーブの曲率などが含まれる。さらに、車両システム１００が建物又は壁などの遮蔽構造物の位置情報、又はＳＬＡＭ（Simultaneous Localization and Mapping）技術を使用する場合には、地図情報に外部センサ１の出力信号を含ませてもよい。なお、地図データベース４は、車両Ｖと通信可能な情報処理センターなどの施設のコンピュータに記憶されていてもよい。
【００２６】
ナビゲーションシステム５は、車両Ｖの運転者によって地図上に設定された目的地までの案内を車両Ｖの運転者に対して行う装置である。ナビゲーションシステム５は、ＧＰＳ受信部２によって測定された車両Ｖの位置情報と地図データベース４の地図情報とに基づいて、車両Ｖの走行するルートを算出する。ルートは、例えば複数車線の区間において車両Ｖが走行する走行車線を特定したルートでもよい。ナビゲーションシステム５は、例えば、車両Ｖの位置から目的地に至るまでの目標ルートを演算し、ディスプレイの表示及びスピーカの音声出力により目標ルートの報知を運転者に対して行う。ナビゲーションシステム５は、例えば車両Ｖの目標ルートの情報をＥＣＵ１０へ出力する。なお、ナビゲーションシステム５は、車両Ｖと通信可能な情報処理センターなどの施設のコンピュータに記憶された情報を用いてもよい。あるいは、ナビゲーションシステム５により行われる処理の一部が、施設のコンピュータによって行われてもよい。
【００２７】
アクチュエータ６は、車両Ｖの走行制御を実行する装置である。アクチュエータ６は、スロットルアクチュエータ、ブレーキアクチュエータ、及びステアリングアクチュエータを少なくとも含む。スロットルアクチュエータは、ＥＣＵ１０からの制御信号に応じてエンジンに対する空気の供給量（スロットル開度）を制御し、車両Ｖの駆動力を制御する。なお、車両Ｖがハイブリッド車又は電気自動車である場合には、スロットルアクチュエータを含まず、動力源としてのモータにＥＣＵ１０からの制御信号が入力されて当該駆動力が制御される。
【００２８】
ブレーキアクチュエータは、ＥＣＵ１０からの制御信号に応じてブレーキシステムを制御し、車両Ｖの車輪へ付与する制動力を制御する。ブレーキシステムとしては、例えば、液圧ブレーキシステムを用いることができる。ステアリングアクチュエータは、電動パワーステアリングシステムのうちステアリングトルクを制御するアシストモータの駆動を、ＥＣＵ１０からの制御信号に応じて制御する。これにより、ステアリングアクチュエータは、車両Ｖのステアリングトルク（操舵トルク）を制御する。
【００２９】
ＨＭＩ７は、車両Ｖの乗員（運転者を含む）と車両システム１００との間で情報の出力及び入力をするためのインターフェイスである。ＨＭＩ７は、例えば、運転者に画像情報を表示するための表示部７ａ、音声出力のための音声出力部７ｂ、及び乗員が入力操作を行うための操作ボタン又はタッチパネルなどを備えている。表示部７ａは、複数の種類のディスプレイから構成されていてもよい。表示部７ａは、例えば、コンビネーションメータのＭＩＤ、インストルメントパネルのセンターディスプレイ、ＨＵＤ［Head  Up  Display］、運転者が装着するグラス型のウェアラブルデバイス等のうち少なくとも一つを含んでいる。表示部７ａは、ＥＣＵ１０からの制御信号に応じて画像情報を表示する。音声出力部７ｂは、警報音又は音声の出力により運転者に対する通知を行うためのスピーカである。音声出力部７ｂは、複数のスピーカから構成されていてもよく、車両Ｖに備え付けのスピーカを含めて構成されていてもよい。音声出力部７ｂは、例えば、車両Ｖのインストルメントパネル裏に設けられたスピーカ、車両Ｖの運転席のドア内側に設けられたスピーカ等のうち少なくとも一つを含んでいる。音声出力部７ｂは、ＥＣＵ１０からの制御信号に応じて警報音又は音声を運転者へ出力する。なお、表示部７ａ及び音声出力部７ｂは、必ずしもＨＭＩ７の一部を構成しておらず、個別に備えられていてもよい。
【００３０】
また、図２に示すように、ＨＭＩ７は、乗員の自動運転開始の要求操作を入力する入力部である自動運転ＯＮ／ＯＦＦスイッチ７０を含む。自動運転ＯＮ／ＯＦＦスイッチ７０は、乗員により自動運転終了に係る要求操作を入力できる構成であってもよい。自動運転ＯＮ／ＯＦＦスイッチ７０は、乗員により自動運転開始又は終了に係る要求操作がなされると、自動運転開始又は自動運転終了を示す情報をＥＣＵ１０へ出力する。なお、入力部は、スイッチに限られるものではなく、自動運転開始又は終了の運転者の意図を判断可能な情報を入力できるものであれば何でもよい。例えば、入力部は、自動運転開始ボタン、自動運転終了ボタンなどであってもよいし、運転者が操作可能な画面（タッチパネル）に表示されたスイッチ又はボタンのオブジェクトであってもよい。ＨＭＩ７は、自動運転を終了する目的地に到達する場合、乗員に目的地到達を通知する。ＨＭＩ７は、無線で接続された携帯情報端末を利用して、乗員に対する情報の出力を行ってもよく、携帯情報端末を利用して乗員による入力操作を受け付けてもよい。
【００３１】
図１及び図２に示すＥＣＵ１０は、車両Ｖの自動走行を制御する。ＥＣＵ１０は、ＣＰＵ（Central Processing Unit）、ＲＯＭ（Read Only Memory）、ＲＡＭ（Random Access Memory）などを有する電子制御ユニットである。ＥＣＵ１０では、ＲＯＭに記憶されているプログラムをＲＡＭにロードし、ＣＰＵで実行することで、各種の制御を実行する。ＥＣＵ１０は、複数の電子制御ユニットから構成されていてもよい。
【００３２】
図１及び図２に示すように、ＥＣＵ１０は、車両位置認識部１１、外部状況認識部１２、走行状態認識部１３、走行計画生成部１４、運転操作情報取得部１５、運転状態切換部１６、走行制御部１７、及び、情報出力部１８を備えている。
【００３３】
車両位置認識部１１は、ＧＰＳ受信部２で受信した車両Ｖの位置情報、及び地図データベース４の地図情報に基づいて、地図上における車両Ｖの位置（以下、「車両位置」という）を認識する。なお、車両位置認識部１１は、ナビゲーションシステム５で用いられる車両位置を該ナビゲーションシステム５から取得して認識してもよい。車両位置認識部１１は、道路などの外部に設置されたセンサで車両Ｖの車両位置が測定され得る場合、このセンサから通信（路車間通信）によって車両位置を取得してもよい。
【００３４】
外部状況認識部１２は、外部センサ１の検出結果に基づいて、車両Ｖの外部状況を認識する。検出結果には、例えばカメラの撮像情報、レーダーの物体情報、又はライダーの物体情報などが含まれる。外部状況は、例えば、車両Ｖに対する走行車線の白線の位置もしくは車線中心の位置及び道路幅、道路の形状を含んでもよい。道路の形状は、例えば走行車線の曲率、外部センサ１の見通し推定に有効な路面の勾配変化、うねりなどであってもよい。また、外部状況は、車両Ｖの周辺の障害物などの物体の状況であってもよい。物体の状況は、例えば、固定障害物と移動障害物を区別する情報、車両Ｖに対する障害物の位置、車両Ｖに対する障害物の移動方向、車両Ｖに対する障害物の相対速度などを含んでもよい。なお、外部状況認識部１２は、外部センサ１の検出結果と地図情報とを照合し、ＧＰＳ受信部２などで取得される車両Ｖの位置及び方向を補正して精度を高めてもよい。
【００３５】
走行状態認識部１３は、内部センサ３の検出結果に基づいて、車両Ｖの走行状態を認識する。内部センサ３の検出結果には、例えば車速センサの車速情報、加速度センサの加速度情報、ヨーレートセンサのヨーレート情報などが含まれる。車両Ｖの走行状態を示す情報には、例えば、車速、加速度、又はヨーレートが含まれる。
【００３６】
走行計画生成部１４は、例えば、ナビゲーションシステム５で演算された目標ルート、車両位置認識部１１で認識された車両位置、及び、外部状況認識部１２で認識された車両Ｖの外部状況（車両位置、方位を含む）に基づいて、車両Ｖの進路を生成する。進路は、目標ルートにおいて車両Ｖが進む軌跡である。走行計画生成部１４は、目標ルート上において車両Ｖが安全、法令順守、走行効率などの基準を満たした走行をするように進路を生成する。さらに、走行計画生成部１４は、車両Ｖの周辺の物体の状況に基づき、物体との接触を回避するように車両Ｖの進路を生成する。
【００３７】
なお、本明細書で説明する目標ルートには、特許５３８２２１８号公報（ＷＯ２０１１／１５８３４７号公報）に記載された「運転支援装置」、又は、特開２０１１−１６２１３２号公報に記載された「自動運転装置」における道なり走行ルートように、目的地の設定が運転者から明示的に行われていない際に、外部状況や地図情報に基づき自動的に生成される走行ルートも含まれる。
【００３８】
走行計画生成部１４は、生成した進路に応じた走行計画を生成する。すなわち、走行計画生成部１４は、車両Ｖの周辺情報である外部状況と地図データベース４の地図情報とに少なくとも基づいて、地図上に予め設定された目標ルートに沿った走行計画を生成する。走行計画生成部１４は、車両Ｖの進路を車両Ｖに固定された座標系での目標位置ｐと、目標位置における目標速度ｖとの二つの要素からなる組、すなわち配位座標（ｐ、ｖ）を複数含む走行計画を生成する。複数の目標位置ｐのそれぞれは、車両Ｖに固定された座標系でのｘ座標もしくはｙ座標の位置、又はそれらと等価な情報を少なくとも有する。なお、走行計画は、車両Ｖの挙動を示す情報を含んでいればよく、配位座標を含む計画に限定されるものではない。例えば、走行計画は、車両Ｖの挙動を示す情報として、目標速度ｖの替わりに目標時刻ｔを含んでもよく、さらに、目標時刻ｔとその時点での車両Ｖの方位に関する情報を含んでもよい。
【００３９】
一般的には、走行計画は、概ね現在時刻から数秒先の将来までの計画を示すデータで充分である。しかし、交差点の右折、車両Ｖの追い越しなどの状況によっては、数十秒先の計画を示すデータが必要となる場合がある。このような場合を想定して、走行計画の配位座標の数を可変、且つ配位座標間の距離も可変としてもよい。さらに、隣接する配位座標を繋ぐ曲線を、スプライン関数などを用いて近似し、近似した曲線のパラメータを走行計画としてもよい。走行計画の生成方法は、車両Ｖの挙動を表すことができるものであればよく、任意の公知な方法を採用することができる。
【００４０】
走行計画には、例えば車両システム１００が車両制御をする際に目標とする制御値が含まれる。例えば、走行計画は、目標ルートに沿った進路を車両Ｖが走行する際における、車両Ｖの車速、加減速度及びステアリングトルクなどの推移を示すデータとしてもよい。つまり、走行計画は、車両Ｖの速度パターン、加減速度パターン及びトルクパターンを含んでいてもよい。あるいは、車両Ｖの速度パターン、加減速度パターンに換えてアクセルペダルの制御目標値及びブレーキペダルの制御目標値の推移を示すデータとしてもよい。走行計画生成部１４は、旅行時間（車両Ｖが目的地に到着するまでに要される所要時間）が最も短くなるように、走行計画を生成してもよい。
【００４１】
速度パターンとは、例えば、進路上に所定間隔（例えば１ｍ）で設定された目標制御位置に対して、目標制御位置ごとに時間に関連付けられて設定された目標車速からなるデータである。加減速度パターンとは、例えば、進路上に所定間隔（例えば１ｍ）で設定された目標制御位置に対して、目標制御位置ごとに時間に関連付けられて設定された目標加減速度からなるデータである。操舵パターンとは、例えば、進路上に所定間隔（例えば１ｍ）で設定された目標制御位置に対して、目標制御位置ごとに時間に関連付けられて設定された目標操舵トルクからなるデータである。アクセルペダルの制御目標値及びブレーキペダルの制御目標値の推移を示すデータとは、例えば、進路上に所定間隔（例えば１ｍ）で設定された目標制御位置に対して、目標制御位置ごとに時間に関連付けられて設定されたペダル位置からなるデータである。
【００４２】
走行計画生成部１４は、例えば自動運転ＯＮ／ＯＦＦスイッチ７０から自動運転開始を示す情報を取得した場合に、走行計画を生成する。また、走行計画生成部１４は、生成した走行計画を、運転操作情報取得部１５及び走行制御部１７へ出力する。なお、運転操作情報取得部１５が走行計画を用いる必要がない場合、例えば後述のとおり、内部センサ３の検出値のみを用いて運転操作の状態を取得することができる場合には、走行計画生成部１４は、運転操作情報取得部１５へ走行計画を出力しなくてもよい。
【００４３】
運転操作情報取得部１５は、内部センサ３の検出結果に基づいて、運転者の運転操作に応じた情報である運転操作情報を取得する。例えば、運転操作情報取得部１５は、運転操作情報として、車両Ｖのステアリング操作、アクセル操作及びブレーキ操作のうち少なくとも１つに関する運転者の運転操作の操作量を取得する。ステアリング操作は、例えば運転者によるステアリングホイールの回転操作である。つまり、ステアリング操作に関する運転操作情報には、ステアリングホイールの操作量（トルク又は舵角）が含まれる。運転操作情報取得部１５は、走行計画に含まれるステアリングの制御目標値（目標操舵トルク）に応じて車両Ｖのステアリングが回転する場合には、ステアリングセンサにより検出された車両Ｖのステアリングの回転状態検出値と、走行計画生成部１４により生成された走行計画に含まれるステアリングの制御目標値との差分を、ステアリング操作の操作量として取得する。なお、制御目標値とのズレを検出できればよいため、例えば回転状態検出値の微分値と制御目標値の微分値との差分であってもよい。一方、運転操作情報取得部１５は、走行計画に含まれるステアリングの制御目標値に応じてステアリングが回転しない場合には、ステアリングセンサにより検出された車両Ｖのステアリングの回転状態検出値をステアリング操作の操作量として取得する。何れにしても、運転操作情報取得部１５は、運転者の操作量の絶対値を取得すればよい。アクセル操作は、例えば運転者によるアクセルペダルの踏み込み操作である。つまり、アクセル操作に関する運転操作情報には、アクセルペダルの操作量（踏込み量）に応じた情報が含まれる。ブレーキ操作は、例えば運転者によるブレーキペダルの踏み込み操作である。つまり、ブレーキペダル操作に関する運転操作情報には、ブレーキペダルの操作量（踏込み量）に応じた情報が含まれる。なお、アクセル操作及びブレーキ操作についても、上述したステアリング操作と同様に、システム制御値に応じてペダル位置が変更される場合には、検出値と制御目標値との差分を算出し、運転者の操作量の絶対値を取得する。つまり、運転操作情報取得部１５は、走行計画に含まれるアクセルペダルの制御目標値に応じて車両Ｖのアクセルペダルのペダル位置が移動する場合には、車両Ｖのアクセルペダルのペダル位置検出値と走行計画に含まれるアクセルペダルの制御目標値との差分をアクセル操作の操作量として取得する。アクセルペダルの制御目標値は、走行計画に含まれる車両Ｖの車速、加減速度などから導出されてもよい。同様に、運転操作情報取得部１５は、走行計画に含まれるブレーキペダルの制御目標値に応じて車両Ｖのブレーキペダルのペダル位置が移動する場合には、車両Ｖのブレーキペダルのペダル位置検出値と走行計画に含まれるブレーキペダルの制御目標値との差分をブレーキ操作の操作量として取得する。ブレーキペダルの制御目標値は、走行計画に含まれる車両Ｖの車速、加減速度などから導出されてもよい。運転操作情報取得部１５は、運転操作情報を運転状態切換部１６、走行制御部１７、及び情報出力部１８へ出力する。
【００４４】
運転状態切換部１６は、運転操作情報取得部１５により取得された運転操作情報に基づいて車両Ｖの運転状態を切り換える。車両Ｖの運転状態には、車両制御状態（第１の運転状態）と手動運転状態（第２の運転状態）がある。本実施形態において、車両制御状態は、自動運転状態と協調運転状態とに分けられる。
【００４５】
ここで、図３は、操作量と運転状態の遷移との関係の一例を説明する図である。図３の横軸は操作量Ｔであり、縦軸は運転状態を示している。図３に示すように、本実施形態では、自動運転状態、協調運転状態及び手動運転状態の３つの運転状態の遷移を説明する。
【００４６】
自動運転状態とは、例えば走行計画を用いて車両Ｖの走行を制御する状態である。つまり、自動運転状態は、例えば、運転者が運転操作を行うことなく、運転者の介入が行われない状態で車両システム１００の制御のみで車両Ｖの走行が実現している状態である。
【００４７】
協調運転状態とは、例えば周辺情報に基づく車両制御と運転者の運転操作とを協調させて車両Ｖを走行させる運転状態である。つまり、協調運転状態は、運転者と車両システム１００との両方が車両Ｖの走行に関係可能な状態であり、システム介入が可能な状態で少なくとも運転者の運転操作の操作量Ｔに基づいて車両Ｖの走行が実現している状態である。協調運転状態には、運転者の運転操作を主体としながら、運転者の運転操作を支援する運転支援制御が行なわれる状態も含まれる。
【００４８】
運転支援制御とは、例えば、ＬＫＡ［Lane  Keeping  Assist］である。ＬＫＡとは、走行車線から逸脱しないように車両の操舵をコントロールする制御である。ＬＫＡでは、例えば、車両が走行車線を逸脱しない範囲において運転者のステアリング操作を車両の操舵に反映する。一方、車両システム１００は、ＬＫＡの実行中に、運転者のステアリング操作によって車両が走行車線を逸脱しそうな場合には走行車線内に車両を戻すように操舵を制御する。運転支援制御には、例えば、ＡＣＣ［Adaptive  Cruise  Control］も含まれる。ＡＣＣとは、例えば、車両の前方に先行車が存在しない場合は予め設定された設定速度で車両を定速走行させる定速制御を行い、車両の前方に先行車が存在する場合には先行車との車間距離に応じて車両の車速を調整する追従制御を行う制御である。車両システム１００は、ＡＣＣを実行中であっても、運転者のブレーキ操作に応じて車両を減速させる。また、車両システム１００は、ＡＣＣを実行中であっても、予め設定された最大許容速度（例えば走行中の道路において法的に定められた最高速度）まで、運転者のアクセル操作に応じて車両を加速させてもよい。
【００４９】
手動運転状態とは、運転者の運転操作の操作量Ｔを車両Ｖの走行に反映させた状態である。つまり、手動運転状態は、システム介入ができない状態で運転者の運転操作の操作量Ｔが車両Ｖの走行に反映されている状態である。
【００５０】
運転状態切換部１６は、自動運転状態、協調運転状態及び手動運転状態をステアリング操作、アクセル操作及びブレーキ操作のうち少なくとも１つに関する運転者の運転操作の操作量Ｔに基づいて切り換える。車両Ｖの運転状態が自動運転状態の場合に、運転者が操作を行ったとしても、操作量Ｔが介入判定閾値Ｔｋ未満のときには自動運転状態が維持される。介入判定閾値Ｔｋは、予め設定された値であり、運転者の操作介入の有無を判定するための閾値である。第１実施形態では、介入判定閾値Ｔｋは、自動運転状態から協調運転状態への切り換えを判定するために用いられる閾値（第２の閾値）である。介入判定閾値Ｔｋは、ステアリング操作、アクセル操作及びブレーキ操作に対して操作の種別ごとに適切な値が設定されている。車両Ｖの運転状態が自動運転状態の場合に、操作量Ｔが介入判定閾値Ｔｋ以上かつ手動運転開始閾値Ｔｈ未満の場合には、車両Ｖの運転状態は協調運転状態となる。手動運転開始閾値Ｔｈは、予め設定された値であり、協調運転状態（又は自動運転状態）から手動運転状態への切り換えを判定するための閾値（第１の閾値）である。手動運転開始閾値Ｔｈは、ステアリング操作、アクセル操作及びブレーキ操作に対して操作の種別ごとに適切な値が設定されている。車両Ｖの運転状態が自動運転状態又は協調運転状態の場合に、操作量Ｔが手動運転開始閾値Ｔｈ以上の場合には、車両Ｖの運転状態は手動運転状態となる。
【００５１】
次に、車両Ｖの運転状態の決定（維持又は遷移）について説明する。最初に、自動運転状態の維持又は遷移を説明する。運転状態切換部１６は、車両Ｖの運転状態が自動運転状態の場合に、操作量Ｔが介入判定閾値Ｔｋ未満であるときには、車両Ｖの運転状態を自動運転状態に維持する。これにより、例えば、運転者が意図せずにステアリングホイールに触れた場合など、自動運転の解除を意図していないステアリング操作が検出された場合であっても、自動運転状態が解除されない。このため、運転状態切換部１６は、運転者が意図しない自動運転解除のたびに、運転者が自動運転開始の指示を行うために自動運転ＯＮ／ＯＦＦスイッチ７０を操作することを回避することができるので、運転者に煩わしさを感じさせることを低減することができる。
【００５２】
また、運転状態切換部１６は、車両Ｖの運転状態が自動運転状態の場合に、操作量Ｔが介入判定閾値Ｔｋ以上かつ手動運転開始閾値Ｔｈ未満になったときには、運転状態を協調運転状態に切り換える。これにより、例えば、運転者が自動運転状態の車両に介入するために介入判定閾値Ｔｋ以上かつ手動運転開始閾値Ｔｈ未満の操作量Ｔでステアリングホイールを操作した場合には、車両Ｖの運転状態が自動運転状態から協調運転状態へ遷移する。例えば、自動運転状態で走行中に大型車両の対向車が現れた場合において、大型車両から少し離れた位置で一時的に走行するように運転者が運転操作を行ったときに、運転状態切換部１６により車両Ｖの運転状態が協調運転状態へ切り換わる。この場合、車両Ｖはシステム介入が可能な状態で運転者の操作量Ｔに基づいて走行するため、車両システム１００は、運転者の運転操作に基づく位置で車両Ｖを走行させることができる。
【００５３】
運転状態切換部１６は、車両Ｖの運転状態が自動運転状態の場合に、操作量Ｔが手動運転開始閾値Ｔｈ以上になったときには、車両Ｖの運転状態を手動運転状態へ切り換えてもよい。つまり、車両Ｖの運転状態は、協調運転状態を経ることなく、自動運転状態から手動運転状態へ直接遷移してもよい。
【００５４】
次に、協調運転状態の維持又は遷移を説明する。運転状態切換部１６は、車両Ｖの運転状態が協調運転状態の場合に、操作量Ｔが介入判定閾値Ｔｋ未満となったときには、車両Ｖの運転状態を協調運転状態から自動運転状態へ切り換える。これにより、例えば、対向車である大型車両から少し離れた位置で走行するように運転者が運転操作を行うとともに対向車とすれ違った後に運転者が運転操作を止めたときには、運転状態切換部１６により運転状態が協調運転状態から自動運転状態へ切り換わる。このように、操作介入が一時的である場合に、操作量Ｔに基づいて自動運転状態へ自動的に切り換わるため、運転状態切換部１６は、一時的な自動運転の解除のたびに、運転者が自動運転開始の指示を行うために自動運転ＯＮ／ＯＦＦスイッチ７０を操作することを回避することができるので、運転者に煩わしさを感じさせることを低減することができる。
【００５５】
運転状態切換部１６は、車両Ｖの運転状態が協調運転状態の場合に、操作量Ｔが介入判定閾値Ｔｋ以上かつ手動運転開始閾値Ｔｈ未満を保っているときには、協調運転状態を維持する。そして、運転状態切換部１６は、車両Ｖの運転状態が協調運転状態の場合に、ステアリング操作に応じたトルクが手動運転開始閾値Ｔｈ以上となったときには、車両Ｖの運転状態を協調運転状態から手動運転状態へ切り換える。これにより、システム介入ができない状態で運転者の運転操作の操作量Ｔが車両Ｖの走行に反映される。
【００５６】
次に、手動運転状態の維持又は遷移を説明する。運転状態切換部１６は、例えば、車両Ｖの運転状態が手動運転状態である場合に、操作量Ｔが手動運転開始閾値Ｔｈ未満になったときでも、車両Ｖの運転状態を手動運転状態に維持する。この場合、運転者が手動運転状態の継続を意図して十分な操作量Ｔでの運転操作を行ったときには、以降において自動運転状態又は協調運転状態への切り換わりが制限されるため、運転者が自動運転終了の指示を行うために自動運転ＯＮ／ＯＦＦスイッチ７０を操作することを回避することができる。このため、運転者に煩わしさを感じさせることを低減することができる。
【００５７】
運転状態切換部１６は、車両Ｖの運転状態が手動運転状態である場合に自動運転ＯＮ／ＯＦＦスイッチ７０に自動運転開始の要求操作が入力されるまでは、手動運転状態を維持する。つまり、自動運転開始の要求操作が入力されるまで、操作量Ｔが手動運転開始閾値Ｔｈ未満となった場合でも協調運転状態又は自動運転状態へ遷移することを制限する。なお、手動運転状態を維持する期間は上記に限定されず、例えば運転状態切換部１６は、予め定めた期間において手動運転状態を維持してもよい。また、自動運転開始の要求操作の入力は自動運転ＯＮ／ＯＦＦスイッチ７０に限られず、公知の入力手段を用いることができる。
【００５８】
以上、図３を用いて説明したように、自動運転状態と協調運転状態との間の遷移は、介入判定閾値Ｔｋと運転操作に基づく操作量Ｔとの比較によって判定され、図３中の矢印で示すように、可逆的な遷移となる。一方、協調運転状態と手動運転状態との遷移は、手動運転開始閾値Ｔｈと運転操作に基づく操作量Ｔとの比較によって判定されるものの、図３中の矢印で示すように、協調運転状態から手動運転状態への遷移のみが許容されている不可逆的な遷移となる。運転状態切換部１６は、運転状態に関する情報を走行制御部１７へ出力する。
【００５９】
なお、車両システム１００は、ステアリング操作、アクセル操作及びブレーキ操作のうち２つ以上の操作の操作量Ｔに基づいて車両Ｖの運転状態を切り換え可能とした場合には、優先度の高い運転状態の維持又は優先度の高い運転状態への切り換えを優先してもよい。車両システム１００は、例えば、自動運転状態より協調運転状態を高い優先度とし、協調運転状態より手動運転状態を高い優先度としてもよい。具体的には、車両システム１００は、例えば、車両Ｖの運転状態が自動運転状態である場合、ステアリング操作、アクセル操作及びブレーキ操作のうち何れか二つの操作量Ｔが介入判定閾値Ｔｋ未満であっても、残り一つの操作量Ｔが介入判定閾値Ｔｋ以上かつ手動運転開始閾値Ｔｈ未満となった場合には、協調運転状態へ切り換えてもよい。また、車両システム１００は、例えば、車両Ｖの運転状態が協調運転状態である場合、ステアリング操作、アクセル操作及びブレーキ操作のうち何れか二つの操作量Ｔが低下して介入判定閾値Ｔｋ未満になったとしても、残り一つの操作量Ｔが介入判定閾値Ｔｋ以上かつ手動運転開始閾値Ｔｈ未満である場合には、協調運転状態を維持してもよい。車両システム１００は、例えば、車両Ｖの運転状態が協調運転状態である場合、ステアリング操作、アクセル操作及びブレーキ操作のうち何れか二つの操作量Ｔが介入判定閾値Ｔｋ以上かつ手動運転開始閾値Ｔｈ未満であっても、残り一つの操作量Ｔが手動運転開始閾値Ｔｈ以上である場合には、手動運転状態へ切り換えてもよい。
【００６０】
走行制御部１７は、運転状態切換部１６によって決定した運転状態で車両Ｖを走行させる。車両Ｖの運転状態が自動運転状態であれば、走行制御部１７は、走行計画生成部１４で生成した走行計画に基づいて、アクチュエータ６へ制御信号を出力し、車両Ｖの走行を制御する。車両Ｖの運転状態が協調運転状態であれば、走行制御部１７は、走行計画生成部１４で生成した走行計画及び運転操作情報取得部１５により取得された操作量Ｔに基づいてアクチュエータ６へ制御信号を出力し、運転操作と協調して車両Ｖを走行させる。車両Ｖの運転状態が手動運転状態であれば、走行制御部１７は、運転操作情報取得部１５により取得された操作量Ｔに基づく制御信号をアクチュエータ６へ出力し、運転操作の操作量Ｔを車両Ｖの走行に反映させる。これにより、走行制御部１７は、自動運転状態、協調運転状態及び手動運転状態の３つの状態を実現する。
【００６１】
情報出力部１８は、例えば、ＨＭＩ７（表示部７ａ及び音声出力部７ｂ）に対して制御信号を送信することにより、車両Ｖの情報及び車両Ｖの周辺状況の情報を乗員に伝える。情報出力部１８は、表示部７ａに対して制御信号を送信することにより、介入判定閾値Ｔｋ及び／又は手動運転開始閾値Ｔｈに対する操作量Ｔの状態を表示させる。情報出力部１８は、介入判定閾値Ｔｋ及び／又は手動運転開始閾値Ｔｈに対する操作量Ｔの状態を表示させる。
【００６２】
情報出力部１８は、例えば、車両の運転状態が自動運転状態又は協調運転状態である場合に、ステアリング操作、アクセル操作及びブレーキ操作のうち運転状態の切り換えに用いる操作が運転者によって行われたとき、介入判定閾値Ｔｋ及び手動運転開始閾値Ｔｈに対する操作量Ｔの状態を表示させる。すなわち、情報出力部１８は、車両の運転状態が手動運転状態の場合には、介入判定閾値Ｔｋ及び手動運転開始閾値Ｔｈに対する操作量Ｔの状態を表示しない態様としてもよい。なお、情報出力部１８は、車両の運転状態が手動運転状態の場合であっても、自動運転ＯＮ／ＯＦＦスイッチ７０がＯＮであり、操作量Ｔが手動運転開始閾値Ｔｈ以上であるときには、介入判定閾値Ｔｋ及び手動運転開始閾値Ｔｈに対する操作量Ｔの状態を表示させてもよい。これにより、運転者は、自動運転ＯＮ／ＯＦＦスイッチ７０がＯＮであっても、操作量Ｔが手動運転開始閾値Ｔｈ以上であるため、手動運転状態から自動運転状態に切り換わっていないことを認識することができる。また、運転者は、操作量Ｔをどの程度小さくすれば手動運転状態から自動運転状態又は協調運転状態に切り換わるのかを認識することができる。また、情報出力部１８は、操作量Ｔが手動運転開始閾値Ｔｈ以上である場合に、自動運転ＯＮ／ＯＦＦスイッチ７０がＯＮにされたときは、操作量が大きいため自動運転状態に切り換わらないことを音声出力又は警報出力により運転者に通知してもよい。なお、車両システム１００は、自動運転ＯＮ／ＯＦＦスイッチ７０がＯＮに切り換えられた場合、現在の操作量Ｔに関わらず車両の運転状態を自動運転状態に切り換えてもよい。
【００６３】
情報出力部１８は、運転状態に関わらず、常に介入判定閾値Ｔｋ及び／又は手動運転開始閾値Ｔｈに対する操作量Ｔの状態を表示させてもよい。情報出力部１８は、ステアリング操作、アクセル操作、及びブレーキ操作のうち運転者が操作中の操作量Ｔのみを表示させてもよい。
【００６４】
以下、図４（Ａ）〜図４（Ｄ）を参照して介入判定閾値Ｔｋ及び手動運転開始閾値Ｔｈに対する操作量Ｔの状態の表示の例を説明する。図４（Ａ）〜図４（Ｄ）では、インジケーターバーとしての表示例を示している。図４（Ａ）〜図４（Ｄ）の表示例は、ステアリング操作、アクセル操作及びブレーキ操作の何れの操作においても採用可能である。
【００６５】
図４（Ａ）は、介入判定閾値Ｔｋ及び手動運転開始閾値Ｔｈを固定とした場合のインジケーターバーの表示例を示す図である。図４（Ａ）に示すインジケーターバーにおいては、運転者による操作量Ｔのみが変動する。図４（Ａ）に示すインジケーターバーにおいて、操作量Ｔが介入判定閾値Ｔｋを超えると車両の運転状態が自動運転状態から協調運転状態へ切り替わる。また、図４（Ａ）に示すインジケーターバーにおいて、操作量Ｔが手動運転開始閾値Ｔｈを超えると車両の運転状態が協調運転状態から手動運転状態へ切り替わる。情報出力部１８は、ステアリング操作の操作量Ｔ、アクセル操作の操作量Ｔ、及びブレーキ操作の操作量Ｔのうち、２つ以上の操作量Ｔを運転状態の切り換えに用いている場合には、それぞれの操作量Ｔに対応する２つ以上のインジケーターバーを表示してもよい。図４（Ａ）において、手動運転開始閾値Ｔｈは必ずしもインジケーターバーの右端（最大値）である必要はない。
【００６６】
図４（Ｂ）は、介入判定閾値Ｔｋ及び手動運転開始閾値Ｔｈが変動する場合のインジケーターバーの例を示す図である。すなわち、介入判定閾値Ｔｋ及び手動運転開始閾値Ｔｈは、変動してもよい。なお、介入判定閾値Ｔｋ及び手動運転開始閾値Ｔｈの何れか一方のみが変動する態様であってもよい。図４（Ｂ）に示すインジケーターバーにおいては、操作量Ｔの他、介入判定閾値Ｔｋ及び手動運転開始閾値Ｔｈの位置が変動する。
【００６７】
なお、車両システム１００は、車両の運転状態を自動運転状態、協調運転状態、及び手動運転状態の三つに切り換え可能である必要はない。すなわち、車両制御状態は、自動運転状態及び協調運転状態の両方を含む場合に限られず、自動運転状態及び協調運転状態のうち少なくとも一方を含んでいればよい。車両システム１００は、例えば、自動運転状態と手動運転状態の二つの運転状態にのみ切換可能であってもよい。この場合、前述の車両制御状態は、自動運転状態と等しくなる。このとき、情報出力部１８は、介入判定閾値Ｔｋを表示する必要がなく、手動運転開始閾値Ｔｈに対する操作量Ｔの状態のみを表示する。図４（Ｃ）は、手動運転開始閾値Ｔｈを固定としたインジケーターバーの例を示す図である。図４（Ｃ）においては、運転者による操作量Ｔのみが変動する。図４（Ｃ）に示すインジケーターバーにおいて、操作量Ｔが手動運転開始閾値Ｔｈを超えると車両の運転状態が自動運転状態から手動運転状態へ切り替わる。図４（Ｃ）において、手動運転開始閾値Ｔｈは必ずしもインジケーターバーの右端（最大値）である必要はない。図４（Ｄ）は、手動運転開始閾値Ｔｈが変動する場合のインジケーターバーの例を示す図である。図４（Ｄ）に示すインジケーターバーにおいては、操作量Ｔの他、手動運転開始閾値Ｔｈの位置が変動する。
【００６８】
その他、車両システム１００は、協調運転状態と手動運転状態の二つの運転状態にのみ切り替え可能なシステムであってもよい。この場合、前述の車両制御状態は、協調運転状態と等しくなる。このときも、運転状態の切り換えに用いられる閾値は一つのため、図４（Ｃ）又は図４（Ｄ）に示す表示例を採用することができる。なお、車両システム１００は、車両の運転状態を自動運転状態、協調運転状態、及び手動運転状態の三つに切り換え可能な場合であっても、介入判定閾値Ｔｋを表示することなく、図４（Ｃ）又は図４（Ｄ）に示すように手動運転開始閾値Ｔｈに対する操作量Ｔの状態のみを表示してもよい。
【００６９】
なお、車両システム１００は、三つの運転状態に切り換え可能なシステムであっても、図４（Ａ）又は図４（Ｂ）に示すインジケーターバーにおいて操作量Ｔが介入判定閾値Ｔｋと一致したときには、表示を見やすくするために介入判定閾値Ｔｋの表示を消して手動運転開始閾値Ｔｈのみを表示してもよい。また、車両システム１００は、三つの運転状態に切り換え可能なシステムであって、図４（Ａ）又は図４（Ｂ）に示すインジケーターバーにおいて操作量Ｔが手動運転開始閾値Ｔｈを超えた場合には、表示を見やすくするために介入判定閾値Ｔｋの表示を消して手動運転開始閾値Ｔｈのみを表示してもよい。
【００７０】
その他、車両システム１００は、運転者による操作量Ｔに応じて四つ以上の運転状態に切り換え可能なシステムであってもよい。この場合、情報出力部１８は、例えば、三つ以上の閾値に対する操作量Ｔの状態を表示する。
【００７１】
次に、ステアリング操作の操作量の表示例について図５を参照して説明する。図５は、介入判定閾値Ｔｋ及び手動運転開始閾値Ｔｈに対するステアリング操作の操作量の状態の表示例を示す図である。図５において、ステアリングホイールＳＴが基準位置（初期位置）の場合及びステアリングホイールＳＴが左回りに回転した回転位置の場合の表示例１〜５を示す。なお、ステアリングホイールＳＴが基準位置の場合に、介入判定閾値Ｔｋ及び／又は手動運転開始閾値Ｔｈを表示してもよく、何れも表示しなくてもよい。ステアリングホイールＳＴが基準位置の場合に、介入判定閾値Ｔｋ及び／又は手動運転開始閾値Ｔｈを表示するときには、左回り用と右回り用の両方を表示することができる。
【００７２】
また、自動運転状態の車両Ｖの向きに応じてステアリングホイールＳＴが回転する場合には、ステアリングホイールＳＴの基準位置は、自動運転状態の車両Ｖの走行計画におけるステアリングの制御目標値（操舵角）の位置としてもよい。この場合、車両システム１００は、例えば、ステアリングセンサにより検出された車両Ｖのステアリングの回転状態検出値と、走行計画生成部１４により生成された走行計画に含まれるステアリングの制御目標値との差分を、ステアリング操作の操作量として表示する。
【００７３】
表示例１は、ステアリングホイールＳＴを抽象的表現で示した場合の例である。表示例１では、ステアリングホイールＳＴの角度に応じて抽象的表現のステアリングホイールにおける中央のバーＨａが回転する。すなわち、バーＨａの回転角度がステアリング操作の操作量に対応する。表示例１では、バーＨａが介入判定閾値Ｔｋを超えて回転することで、車両の運転状態が自動運転状態から協調運転状態に切り返られる。同様に、バーＨａが手動運転開始閾値Ｔｈを超えて回転することで、車両の運転状態が協調運転状態から手動運転状態に切り返られる。
【００７４】
なお、ステアリングホイールＳＴの回転時の表示例１として、左回りに回転した場合の介入判定閾値Ｔｋ及び手動運転開始閾値Ｔｈが示されているが、右回りの場合には、左回り用の介入判定閾値Ｔｋ及び手動運転開始閾値Ｔｈが消え、右回り用の介入判定閾値Ｔｋ及び手動運転開始閾値Ｔｈが表示される。また、自動運転状態の車両Ｖの向きに応じてステアリングホイールＳＴが回転する場合には、自動運転状態の車両Ｖの向きに応じてバーＨａが回転してもよい。この場合、自動運転状態の車両Ｖの向きに応じて介入判定閾値Ｔｋ及び手動運転開始閾値Ｔｈの表示も回転する。また、この場合において、運転者によるステアリング操作があったときには、ステアリング操作の操作量に応じてバーＨａのみが回転する。この点は、後述する表示例２も同様である。
【００７５】
表示例２は、表示例１と同様に、ステアリングホイールＳＴを抽象的表現で示した場合の例である。表示例２では、表示例１における介入判定閾値Ｔｋ及び手動運転開始閾値Ｔｈを領域的に示している。すなわち、現在のバーＨａと介入判定閾値Ｔｋ又は手動運転開始閾値Ｔｈまでの領域を背景と異なる色彩で示している。
【００７６】
表示例３は、ステアリングホイールＳＴの操作量をメータにより示した場合の例である。表示例３では、メータバーＨｂの傾きが運転者のステアリング操作の操作量に対応する。表示例３では、ステアリングホイールＳＴが基準位置の場合にメータバーＨｂが真上を指し、ステアリングホイールＳＴの回転に応じてメータバーＨｂが左右に傾く。表示例３においては、例えば、左回り用の介入判定閾値Ｔｋ及び手動運転開始閾値Ｔｈ及び右回り用の介入判定閾値Ｔｋ及び手動運転開始閾値Ｔｈが示されている。なお、自動運転状態の車両Ｖの向きに応じてステアリングホイールＳＴが回転する場合には、自動運転状態の車両Ｖの向きに応じてメータバーＨｂが左右に傾いてもよい。この場合には、自動運転状態の車両Ｖの向きに応じて介入判定閾値Ｔｋ及び手動運転開始閾値Ｔｈの表示も回転する。また、この場合において、運転者によるステアリング操作があったときには、ステアリング操作の操作量に応じてメータバーＨｂのみが左右に傾く。
【００７７】
表示例４は、ステアリングホイールＳＴの操作量をスライドバーにより示した場合の例である。表示例４では、バーＨｃの位置が運転者のステアリング操作の操作量に対応する。表示例４では、ステアリングホイールＳＴが基準位置の場合にバーＨｃが中央に位置し、ステアリングホイールＳＴの回転方向に応じてバーＨｃが左右にスライドする。表示例４においては、例えば、左回り用の介入判定閾値Ｔｋ及び手動運転開始閾値Ｔｈ及び右回り用の介入判定閾値Ｔｋ及び手動運転開始閾値Ｔｈが示されている。なお、自動運転状態の車両Ｖの向きに応じてステアリングホイールＳＴが回転する場合には、自動運転状態の車両Ｖの向きに応じてバーＨｃが左右にスライドしてもよい。この場合、自動運転状態の車両Ｖの向きに応じて介入判定閾値Ｔｋ及び手動運転開始閾値Ｔｈの表示位置も左右に移動する。また、この場合において、運転者によるステアリング操作があったときには、ステアリング操作の操作量に応じてバーＨｃのみがスライドする。
【００７８】
表示例５は、ステアリングホイールＳＴの操作量を数値により表わした場合の例である。表示例５では、ステアリングホイールＳＴの操作量（例えば操舵角）が数値として表わされる。表示例５においては、例えば、ステアリングホイールＳＴが左回りで回転した場合、左回り用の介入判定閾値Ｔｋ及び手動運転開始閾値Ｔｈが数値として表示される。同様に、表示例５において、例えば、ステアリングホイールＳＴが右回りで回転した場合、右回り用の介入判定閾値Ｔｋ及び手動運転開始閾値Ｔｈが数値として表示される。なお、自動運転状態の車両Ｖの向きに応じてステアリングホイールＳＴが回転する場合には、自動運転状態の車両Ｖの向きに応じて操舵角の数値が変動してもよい。この場合、自動運転状態の車両Ｖの向きに応じて介入判定閾値Ｔｋ及び手動運転開始閾値Ｔｈの数値も変動する。また、この場合において、運転者によるステアリング操作があったときには、ステアリング操作の操作量に応じてバーＨｃのみがスライドする。
【００７９】
その他、ステアリングホイールＳＴを写実的に表現（例えば図５のステアリングホイールの状態のように表現）し、操作量が介入判定閾値Ｔｋ又は手動運転開始閾値Ｔｈに近づくほど色彩又は輝度を変化させる態様であってもよい。また、ステアリングホイールＳＴを写実的に表現し、操作量が介入判定閾値Ｔｋに至った状態のステアリングホイールＳＴ及び操作量が手動運転開始閾値Ｔｈに至った状態のステアリングホイールＳＴを、現在のステアリングホイールＳＴの表示の背景に表示してもよい。また、表示例１〜５においても、図４（Ｂ）及び図４（Ｄ）と同じように、介入判定閾値Ｔｋ及び／又は手動運転開始閾値Ｔｈが移動してもよい。
【００８０】
また、表示例１〜５においては、介入判定閾値Ｔｋ及び手動運転開始閾値Ｔｈの両方を表示する態様を示したが、介入判定閾値Ｔｋ及び手動運転開始閾値Ｔｈの一方のみを表示してもよい。例えば、操作量Ｔが介入判定閾値Ｔｋに至るまでは、介入判定閾値Ｔｋのみを表示し、手動運転開始閾値Ｔｈを表示しなくてもよい。また、操作量Ｔが手動運転開始閾値Ｔｈを超えた場合には、手動運転開始閾値Ｔｈのみを表示し、介入判定閾値Ｔｋを表示しなくてもよい。
【００８１】
その他、表示例１〜５において、介入判定閾値Ｔｋ及び手動運転開始閾値Ｔｈの一方を表示しない代わりに、他方を強調表示してもよい。例えば、操作量Ｔが介入判定閾値Ｔｋに至るまでは、手動運転開始閾値Ｔｈの表示を変えることなく、介入判定閾値Ｔｋを輝度の増加又は色彩変更により強調表示してもよい。同様に、表示例１〜５において、操作量Ｔが手動運転開始閾値Ｔｈを超えた場合には、介入判定閾値Ｔｋの表示を変えることなく、手動運転開始閾値Ｔｈの表示を輝度の増加又は色彩変更により強調表示してもよい。また、介入判定閾値Ｔｋ及び手動運転開始閾値Ｔｈの一方を強調表示しつつ、他方を表示しない態様であってもよい。
【００８２】
続いて、アクセル操作の操作量及びブレーキ操作の操作量のその他の表示例について図６を参照して説明する。図６は、介入判定閾値Ｔｋ及び手動運転開始閾値Ｔｈに対するアクセル操作の操作量及びブレーキ操作の操作量の状態の表示例Ａ〜表示例Ｅを示す図である。なお、アクセルペダル及びブレーキペダルが基準位置（初期位置）の場合、介入判定閾値Ｔｋ及び／又は手動運転開始閾値Ｔｈを表示してもよく、何れも表示しなくてもよい。
【００８３】
表示例Ａは、ブレーキ操作の操作量及びアクセル操作の操作量を棒グラフにより表わした例を示す図である。表示例Ａでは、ブレーキ操作の操作量をバーＢａ、アクセル操作の操作量をバーＡａにより表している。表示例Ａでは、ブレーキ操作の操作量が大きくなるほどバーＢａが上方に延び、アクセル操作の操作量が大きくなるほどバーＡａが上方に延びる。車両システム１００は、車両Ｖの運転状態が自動運転状態の場合、ブレーキ操作の操作量をバーＢａ又はアクセル操作の操作量をバーＡａが介入判定閾値Ｔｋ以上になったとき、協調運転状態に切り換える。車両システム１００は、車両Ｖの運転状態が協調運転状態の場合、ブレーキ操作の操作量をバーＢａ又はアクセル操作の操作量をバーＡａが手動運転開始閾値Ｔｈ以上になったとき、手動運転状態に切り換える。
【００８４】
情報出力部１８は、運転者がブレーキペダル又はアクセルペダルから足を放しても、直ぐに操作量をゼロにせず、操作量が漸減するように表示してもよい。この場合、表示例Ａにおいて、例えば、運転者がアクセルペダルからブレーキペダルに踏み換えたときには、バーＢａ及びバーＡａの両方が表示されてもよい。
【００８５】
表示例Ｂは、ブレーキ操作の操作量及びアクセル操作の操作量をブロック型棒グラフにより表わした例を示す図である。表示例Ｂでは、ブレーキ操作の操作量をブロックＢｂ、アクセル操作の操作量をブロックＡｂにより表している。表示例Ｂにおいては、ブレーキ操作の操作量が大きくなるほどブロックＢｂが上方に積み重なり、アクセル操作の操作量が大きくなるほどブロックＡｂが上方に積み重なる。
【００８６】
表示例Ｃは、ブレーキ操作の操作量及びアクセル操作の操作量を円の大きさにより表わした例を示す図である。表示例Ｃでは、ブレーキ操作の操作量を円Ｂｃ、アクセル操作の操作量を円Ａｃにより表している。表示例Ｃでは、ブレーキとアクセルをそれぞれ別の円として表現している。なお、円Ｂｃと円Ａｃの色彩を異ならせてもよい。表示例Ｃにおいては、ブレーキ操作の操作量が大きくなるほど円Ｂｃが大きくなり、アクセル操作の操作量が大きくなるほど円Ａｃが大きくなる。介入判定閾値Ｔｋ及び手動運転開始閾値Ｔｈは、それぞれ一定の大きさの円として表現されている。
【００８７】
表示例Ｄは、ブレーキ操作の操作量及びアクセル操作の操作量を半円の大きさにより表わした例を示す図である。表示例Ｄでは、ブレーキ操作の操作量を半円Ｂｄ、アクセル操作の操作量を半円Ａｄにより表している。表示例Ｄでは、ブレーキの操作量及びブレーキ操作の操作量を一つの円で表すことができる。なお、半円Ｂｄと半円Ａｄの色彩を異ならせてもよい。表示例Ｄにおいては、ブレーキ操作の操作量が大きくなるほど半円Ｂｄが大きくなり、アクセル操作の操作量が大きくなるほど半円Ａｄが大きくなる。介入判定閾値Ｔｋ及び手動運転開始閾値Ｔｈは、それぞれ一定の大きさの円として表現されている。なお、表示例Ｄは、アクセル操作の操作量及びブレーキ操作の操作量の両方を共通の同心円（Ｔｋの円及びＴｈの円からなる同心円）を用いて示しているが、アクセル操作の操作量及びブレーキ操作の操作量を別々の同心円を用いて互いに分離した状態で表示してもよい。
【００８８】
表示例Ｅは、ブレーキ操作の操作量及びアクセル操作の操作量を円グラフにより表わした例を示す図である。表示例Ｅでは、ブレーキ操作の操作量を扇状の領域Ｂｅ、アクセル操作の操作量を扇状の領域Ａｅにより表している。表示例Ｅでは、ブレーキの操作量及びブレーキ操作の操作量を一つの円で表すことができる。なお、領域Ｂｅと領域Ａｅの色彩を異ならせてもよい。表示例Ｅにおいては、ブレーキ操作の操作量が大きくなるほど円を占める領域Ｂｅの割合が大きくなり、アクセル操作の操作量が大きくなるほど円を占める領域Ａｅの割合が大きくなる。介入判定閾値Ｔｋ及び手動運転開始閾値Ｔｈは、それぞれ円を一定の割合で占める領域の境界線として表現されている。
【００８９】
その他、情報出力部１８は、ブレーキ操作の操作量又はアクセル操作の操作量が介入判定閾値Ｔｋに近づいていることを、色彩又は輝度によって表現してもよい。また、情報出力部１８は、介入判定閾値Ｔｋ及び手動運転開始閾値Ｔｈに対するブレーキ操作の操作量の状態と、介入判定閾値Ｔｋ及び手動運転開始閾値Ｔｈに対するアクセル操作の操作量の状態とをスライドバー上のスライダとして表現してもよい。この場合、ブレーキ操作のスライドバーとアクセル操作のスライドバーを繋げて１軸としてもよい。
【００９０】
なお、表示例Ａ、表示例Ｂ、表示例Ｄ、表示例Ｅなどでは、アクセル操作の操作量とブレーキ操作の操作量の両方を表示できる態様を示したが、別々に表示してもよい。アクセル操作の操作量とブレーキ操作の操作量とを別々に表示する場合には、アクセル操作又はブレーキ操作のうち操作中の操作量のみを表示してもよい。また、表示例Ａ〜Ｅにおいても、図４（Ｂ）及び図４（Ｄ）と同じように、介入判定閾値Ｔｋ及び手動運転開始閾値Ｔｈが移動してもよい。更に、表示例Ａ〜Ｅは、アクセル操作の操作量又はブレーキ操作の操作量に限られず、ステアリング操作の操作量の表示として用いてもよい。
【００９１】
以上、介入判定閾値Ｔｋ及び手動運転開始閾値Ｔｈに対する操作量Ｔの状態の表示について説明したが、表示例は上述したものに限られない。情報出力部１８は、例えば、表示の大きさを変化させてもよい。この場合、操作量Ｔが介入判定閾値Ｔｋ又は手動運転開始閾値Ｔｈに近づくと、表示が拡大される態様とすることができる。また、情報出力部１８は、表示例Ａ〜Ｅの棒グラフ又は円グラフ等を三次元表示してもよい。
【００９２】
更に、情報出力部１８は、表示部７ａにおいて操作量Ｔを表示する画面上の表示枠（又は表示スペース）が一つしか無い場合、ステアリング操作の操作量、アクセル操作の操作量、又はブレーキ操作の操作量のうち運転者が操作中の操作量を表示枠に表示してもよい。情報出力部１８は、例えば、運転者がステアリング操作を止めてアクセル操作（又はブレーキ操作）を行った場合、表示枠の表示を図５に示す表示例１〜５の何れかから図６に示す表示例Ａ〜Ｅの何れかに切り替える。なお、図６の表示例Ａ、表示例Ｂ、表示例Ｄ、表示例Ｅに示すように、アクセル操作の操作量及びブレーキ操作の操作量は一つの表示枠に同時に表示することができる。
【００９３】
情報出力部１８は、例えば、操作量Ｔを表示する画面上の表示枠が一つしか無い場合において、運転者がステアリング操作とアクセル操作（又はブレーキ操作）を同時に行っている場合、ステアリング操作の操作量及びブレーキ操作の操作量のうち介入判定閾値Ｔｋに対する操作量の割合が大きい方を優先して表示枠に表示する。なお、情報出力部１８は、手動運転開始閾値Ｔｈに対する操作量の割合が大きい方を優先して表示枠に表示してもよい。その他、情報出力部１８は、ステアリング操作の操作量、アクセル操作の操作量、又はブレーキ操作の操作量のうち一つだけ介入判定閾値Ｔｋを超えている場合には、当該操作量を優先して表示枠に表示してもよい。また、情報出力部１８は、ステアリング操作の操作量、アクセル操作の操作量、又はブレーキ操作の操作量のうち一つだけ手動運転開始閾値Ｔｈを超えている場合には、当該操作量を優先して表示枠に表示してもよい。情報出力部１８は、ステアリング操作の操作量、アクセル操作の操作量、又はブレーキ操作の操作量のうち、現在の運転状態を切り換える閾値に最も近い操作量を表示してもよい。
【００９４】
更に、情報出力部１８は、表示部７ａにより現在の運転状態を運転者に表示してもよい。ここで、図７（Ａ）は、操作量Ｔと運転状態の遷移との関係の一例を説明する図である。図７（Ｂ）は、現在運転状態通知のオンオフと操作量Ｔとの関係の一例を説明する図である。図７（Ｂ）では、協調運転状態の場合にのみ現在運転状態通知をオンにしている。情報出力部１８は、例えば、現在運転状態通知がオンの場合、表示部７ａに協調運転状態（現在の運転状態）を表示する。図７（Ａ）及び図７（Ｂ）に示すように、情報出力部１８は、操作量Ｔに応じて現在運転状態通知のオンオフを切り換えてもよい。また、情報出力部１８は、自動運転状態又は手動運転状態であることを運転者に表示してもよい。
【００９５】
図７（Ｃ）は、操作抵抗と操作量Ｔとの関係の一例を説明する図である。図７（Ａ）及び図７（Ｃ）に示すように、車両システム１００は、運転者に協調運転状態であることを通知するための一態様として、操作抵抗を高めてもよい。操作抵抗は、ステアリング操作、ブレーキ操作及びアクセル操作のうち、運転者に対する当該操作量Ｔに係る操作の抵抗である。車両システム１００は、例えば、操作抵抗を高めた場合、操作抵抗を高めない場合（標準の場合）と比べて、運転者による運転操作を行いにくくする。なお、操作抵抗の変更は、例えば、走行制御部１７がアクチュエータ６に制御信号を出力することにより実行される。具体的には、車両システム１００は、走行制御部１７から制御信号を出力することで、電動パワーステアリングシステムにおいてステアリングトルクをコントロールするアシストモータを制御してステアリング操作の操作抵抗を変更する。
【００９６】
また、情報出力部１８は、運転状態の切り換えの際に、音声出力部７ｂの音声出力による移行前通知及び移行後通知を行ってもよい。なお、情報出力部１８は、表示部７ａの表示による移行前通知及び移行後通知を行ってもよい。移行前通知は、例えば、運転状態の遷移（移行）が開始されることを運転者に伝える通知である。移行後通知は、例えば、運転状態の遷移が完了したことを運転者に伝える通知である。
【００９７】
ここで、図８（Ａ）は、操作量Ｔの増加による運転状態の遷移の一例を説明する図である。図８（Ａ）に示すように、車両システム１００は、操作量Ｔの増加に従って、自動運転状態から協調運転状態、協調運転状態から手動運転状態へと遷移する。情報出力部１８は、例えば、操作量Ｔが増加して介入判定閾値Ｔｋに至った場合、移行後通知をオンにする。情報出力部１８は、移行後通知を開始してから一定時間が経過した場合、移行後通知をオフにする。
【００９８】
なお、情報出力部１８は、操作量Ｔの増加に応じて移行後通知をオフにしてもよい。図８（Ｂ）は、操作量Ｔの増加と移行後通知のオンオフの関係の一例を説明する図である。図８（Ａ）及び図８（Ｂ）に示すように、情報出力部１８は、操作量Ｔが増加して介入判定閾値Ｔｋに至ってから設定値Ｔｋ１に至るまでの間、協調運転状態への移行後通知を行ってもよい。すなわち、情報出力部１８は、操作量Ｔが増加して介入判定閾値Ｔｋに至った場合に移行後通知をオンにすると共に、操作量Ｔが更に増加して設定値Ｔｋ１に至った場合に移行後通知をオフにしてもよい。同様に、情報出力部１８は、操作量Ｔが増加して手動運転開始閾値Ｔｈに至ってから設定値Ｔｈ１に至るまでの間、手動運転状態への移行後通知を行ってもよい。設定値Ｔｋ１は、介入判定閾値Ｔｋより大きく、手動運転開始閾値Ｔｈ以上より小さい任意の値である。設定値Ｔｈ１は、手動運転開始閾値Ｔｈより大きい任意の値である。
【００９９】
また、情報出力部１８は、例えば、操作量Ｔが増加して設定値Ｔｈ０に至った場合、移行前通知をオンにする。設定値Ｔｈ０は、手動運転開始閾値Ｔｈより小さく、介入判定閾値Ｔｋより大きい任意の値である。情報出力部１８は、移行前通知を開始してから一定時間が経過した場合、移行前通知をオフにする。
【０１００】
なお、情報出力部１８は、操作量Ｔの増加に応じて移行前通知をオフにしてもよい。図８（Ｃ）は、操作量Ｔの増加と移行前通知のオンオフの関係の一例を説明する図である。図８（Ｃ）に示すように、情報出力部１８は、操作量Ｔが増加して設定値Ｔｈ０に至ってから手動運転開始閾値Ｔｈに至るまでの間、手動運転状態への移行前通知を行ってもよい。また、移行後通知と移行前通知は必ずしも両方を行う必要はなく、何れか一方のみ行ってもよい。この点は以降の説明においても同様である。
【０１０１】
ここで、図８（Ｄ）は、操作量Ｔの増加と操作抵抗の関係の一例を説明する図である。図８（Ｄ）に示すように、車両システム１００は、操作量Ｔが増加して設定値Ｔｈ０に至ってから手動運転開始閾値Ｔｈに至るまでの間、操作抵抗を高めてもよい。
【０１０２】
図９（Ａ）は、操作量Ｔの減少による運転状態の遷移の一例を説明する図である。図９（Ａ）に示すように、車両システム１００は、操作量Ｔの減少に従って、協調運転状態から自動運転状態へと遷移する。情報出力部１８は、例えば、操作量Ｔが減少して介入判定閾値Ｔｋ未満になった場合、移行後通知をオンにする。情報出力部１８は、移行後通知を開始してから一定時間が経過した場合、移行後通知をオフにする。
【０１０３】
なお、情報出力部１８は、操作量Ｔの減少に応じて移行後通知をオフにしてもよい。図９（Ｂ）は、操作量Ｔの減少と移行後通知のオンオフの関係の一例を説明する図である。図９（Ａ）及び図９（Ｂ）に示すように、情報出力部１８は、車両Ｖの運転状態が協調運転状態である場合、操作量Ｔが減少して介入判定閾値Ｔｋ未満となってから設定値Ｔｋ０未満になるまでの間、自動運転状態への移行後通知を行ってもよい。すなわち、情報出力部１８は、操作量Ｔが減少して介入判定閾値Ｔｋ未満になった場合に移行後通知をオンにすると共に、操作量Ｔが更に減少して設定値Ｔｋ０未満になった場合に移行後通知をオフにしてもよい。設定値Ｔｋ０は、介入判定閾値Ｔｋより小さい任意の値である。
【０１０４】
また、情報出力部１８は、例えば、操作量Ｔが減少して設定値Ｔｋ２未満になった場合、移行前通知をオンにする。設定値Ｔｋ２は、介入判定閾値Ｔｋより大きく、手動運転開始閾値Ｔｈより小さい任意の値である。情報出力部１８は、移行前通知を開始してから一定時間が経過した場合、移行前通知をオフにする。
【０１０５】
なお、情報出力部１８は、操作量Ｔの減少に応じて移行前通知をオフにしてもよい。図９（Ｃ）は、操作量Ｔの減少と移行前通知のオンオフの関係の一例を説明する図である。図９（Ｃ）に示すように、情報出力部１８は、車両Ｖの運転状態が協調運転状態である場合、操作量Ｔが減少して設定値Ｔｋ２未満となってから介入判定閾値Ｔｋ未満となるまでの間、自動運転状態への移行前通知を行ってもよい。
【０１０６】
ここで、図９（Ｄ）は、操作量Ｔの減少と操作抵抗の関係の一例を説明する図である。図９（Ｄ）に示すように、車両システム１００は、車両Ｖの運転状態が協調運転状態である場合、操作量Ｔが減少して設定値Ｔｋ１未満となってから介入判定閾値Ｔｋ未満となるまでの間、操作抵抗を高めてもよい。
【０１０７】
次に、車両システム１００が行う処理について説明する。図１０は、走行計画生成処理の一例を説明するフローチャートである。図１０に示す制御処理は、例えば自動運転ＯＮ／ＯＦＦスイッチ７０に自動運転開始の要求操作が入力されたときに実行される。
【０１０８】
図１０に示すように、まず、車両位置認識部１１は、ＧＰＳ受信部２で受信した車両Ｖの位置情報及び地図データベース４の地図情報から、車両位置を認識する。外部状況認識部１２は、外部センサ１の検出結果から、車両Ｖの外部状況を認識する。走行状態認識部１３は、内部センサ３の検出結果から、車両Ｖの走行状態を認識する（Ｓ１）。そして、走行計画生成部１４は、ナビゲーションシステム５の目標ルート、車両位置、車両Ｖの外部状況、及び車両Ｖの走行状態から、車両Ｖの走行計画を生成する（Ｓ２）。このように、車両Ｖの走行計画が生成される。
【０１０９】
次に、車両システム１００が行う車両Ｖの運転状態の切換処理について説明する。図１１は、ステアリング操作に応じた操舵トルクを用いて車両Ｖの手動運転状態の運転状態を切り換える切換処理の一例を説明するフローチャートである。図１１に示す制御処理は、車両Ｖが手動運転状態である場合に所定の周期で繰り返し実行される。
【０１１０】
図１１に示すように、まず、運転状態切換部１６は、車両Ｖの運転状態が手動運転状態である場合に自動運転ＯＮ／ＯＦＦスイッチ７０に自動運転開始の要求操作が入力されたか否かを判定する（Ｓ１０）。運転状態切換部１６は、自動運転ＯＮ／ＯＦＦスイッチ７０に自動運転開始の要求操作が入力されたと判定した場合には、介入判定閾値Ｔｋを用いた判定処理（Ｓ１２）を行う。
【０１１１】
運転状態切換部１６は、Ｓ１２に示す介入判定閾値Ｔｋを用いた判定処理として、内部センサ３の検出結果に基づく操舵トルクが介入判定閾値Ｔｋ未満であるか否かを判定する。運転状態切換部１６は、内部センサ３の検出結果に基づく操舵トルクが介入判定閾値Ｔｋ未満であると判定した場合には、車両Ｖの運転状態を自動運転状態へ切り換える（Ｓ１４）。Ｓ１４に示す切換処理が終了すると、図１１に示すフローチャートを終了する。なお、車両Ｖの運転状態は手動運転状態から自動運転状態へ遷移し、図１１に示すフローチャートの前提である手動運転状態ではなくなるため、この後に図１１に示すフローチャートを繰り返す処理は行われず、後述する図１２に示すフローチャートが開始される。
【０１１２】
一方、運転状態切換部１６は、内部センサ３の検出結果に基づく操舵トルクが介入判定閾値Ｔｋ未満でないと判定した場合には、手動運転開始閾値Ｔｈを用いた判定処理（Ｓ１６）を行う。運転状態切換部１６は、Ｓ１６に示す手動運転開始閾値Ｔｈを用いた判定処理として、内部センサ３の検出結果に基づく操作量Ｔ（例えば操舵トルク）が手動運転開始閾値Ｔｈ未満であるか否かを判定する。運転状態切換部１６は、内部センサ３の検出結果に基づく操舵トルクが手動運転開始閾値Ｔｈ未満であると判定した場合には、車両Ｖの運転状態を協調運転状態へ切り換える（Ｓ１８）。Ｓ１８に示す切換処理が終了すると、図１１に示すフローチャートを終了する。なお、車両Ｖの運転状態は手動運転状態から協調運転状態へ遷移し、図１１に示すフローチャートの前提である手動運転状態ではなくなるため、この後に図１１に示すフローチャートを繰り返す処理は行われず、後述する図１２に示すフローチャートが開始される。
【０１１３】
一方、運転状態切換部１６は、内部センサ３の検出結果に基づく操舵トルクが手動運転開始閾値Ｔｈ未満でないと判定した場合には、手動運転状態を維持する（Ｓ２０）。同様に、運転状態切換部１６は、自動運転ＯＮ／ＯＦＦスイッチ７０に自動運転開始の要求操作が入力されていないと判定した場合には、手動運転状態を維持する（Ｓ２０）。そして、図１１に示すフローチャートを終了する。なお、車両Ｖの運転状態は手動運転状態から遷移していないため、この後に図１１に示すフローチャートが繰り返し実行される。
【０１１４】
次に、車両Ｖの運転状態が自動運転状態又は協調運転状態の場合において、車両システム１００が行う運転状態の切換処理について説明する。図１２は、操舵トルクを用いて車両Ｖの運転状態を自動運転状態又は協調運転状態に切り換える切換処理の一例を説明するフローチャートである。図１２に示す制御処理は、自動運転状態又は協調運転状態である場合に所定の周期で繰り返し実行される。
【０１１５】
図１２に示すように、まず、運転状態切換部１６は、Ｓ３２に示す介入判定閾値Ｔｋを用いた判定処理として、内部センサ３の検出結果に基づく操舵トルクが介入判定閾値Ｔｋ未満であるか否かを判定する。運転状態切換部１６は、内部センサ３の検出結果に基づく操舵トルクが介入判定閾値Ｔｋ未満であると判定した場合には、車両Ｖの運転状態を自動運転状態に決定する（Ｓ３４）。つまり、運転状態切換部１６は、車両Ｖの運転状態が自動運転状態の場合には、自動運転状態を維持し、車両Ｖの運転状態が協調運転状態の場合には、自動運転状態へ切り換える。Ｓ３４に示す処理が終了すると、図１２に示すフローチャートを終了する。なお、車両Ｖの運転状態は手動運転状態へ遷移していないため、この後に図１２に示すフローチャートが繰り返し実行される。
【０１１６】
一方、運転状態切換部１６は、内部センサ３の検出結果に基づく操舵トルクが介入判定閾値Ｔｋ未満でないと判定した場合には、手動運転開始閾値Ｔｈを用いた判定処理（Ｓ３６）を行う。運転状態切換部１６は、Ｓ３６に示す手動運転開始閾値Ｔｈを用いた判定処理として、内部センサ３の検出結果に基づく操舵トルクが手動運転開始閾値Ｔｈ未満であるか否かを判定する。運転状態切換部１６は、内部センサ３の検出結果に基づくトルクが手動運転開始閾値Ｔｈ未満であると判定した場合には、車両Ｖの運転状態を協調運転状態に決定する（Ｓ３８）。つまり、運転状態切換部１６は、車両Ｖの運転状態が自動運転状態の場合には、協調運転状態へ切り換え、車両Ｖの運転状態が協調運転状態の場合には、協調運転状態を維持する。Ｓ３８に示す処理が終了すると、図１２に示すフローチャートを終了する。なお、車両Ｖの運転状態は手動運転状態へ遷移していないため、この後に図１２に示すフローチャートが繰り返し実行される。
【０１１７】
一方、運転状態切換部１６は、内部センサ３の検出結果に基づく操舵トルクが手動運転開始閾値Ｔｈ未満でないと判定した場合には、手動運転状態へ切り換える（Ｓ４０）。そして、図１２に示すフローチャートを終了する。なお、運転状態は自動運転状態又は協調運転状態から手動運転状態へ遷移し、図１２に示すフローチャートの前提である自動運転状態又は協調運転状態ではなくなるため、この後に図１２に示すフローチャートを繰り返す処理は行われず、図１１に示すフローチャートが開始される。
【０１１８】
以上、図１１，１２に示すように、運転状態切換部１６によって、自動運転状態、協調運転状態及び手動運転状態がステアリング操作に応じた操舵トルクに基づいて切り換えられる。なお、図１１，１２では、自動運転状態及び協調運転状態である場合に、自動運転ＯＮ／ＯＦＦスイッチ７０に自動運転開始の要求操作が入力された後に自動運転終了の要求操作が入力されたときについては図示を省略しているが、この場合、運転状態切換部１６は、自動運転状態及び協調運転状態から手動運転状態へ切り換える処理を行う。
【０１１９】
上記説明では、運転操作の一例であるステアリング操作の操作量（操舵トルク）に基づいて運転状態切換部１６が車両Ｖの運転状態を切り換える場合を説明したが、操舵トルクを舵角に置き換えてもよいし、アクセルペダル又はブレーキペダルの踏込み量（ペダル位置）に置き換えてもよい。つまり、運転状態切換部１６は、ステアリング操作の舵角に基づいて車両Ｖの運転状態を切り換えてもよいし、アクセルペダル又はブレーキペダルの踏込み量に基づいて車両Ｖの運転状態を切り換えてもよい。
【０１２０】
次に、車両システム１００が行う操作量Ｔの表示処理について説明する。図１３は、操作量Ｔの表示処理の一例を説明するフローチャートである。図１３に示す制御処理は、例えば、車両Ｖの運転状態が自動運転状態又は協調運転状態である場合に所定の周期で繰り返し実行される。なお、手動運転状態である場合であっても、図１３に示す制御処理を所定の周期で繰り返し実行してもよい。
【０１２１】
図１３に示すように、まず、運転操作情報取得部１５は、運転操作情報を取得したか否かを判定する（Ｓ１００）。運転操作情報取得部１５は、運転操作情報を取得しないと判定した場合、図１３に示すフローチャートを終了する。その後、運転操作情報取得部１５は、所定時間の経過後に、再びＳ１００の判定を開始する。
【０１２２】
情報出力部１８は、運転操作情報取得部１５が運転操作情報を取得しないと判定した場合、運転操作情報に基づいて表示部７ａに制御信号を送信することにより、介入判定閾値Ｔｋ及び手動運転開始閾値Ｔｈに対する操作量Ｔの状態を表示する（Ｓ１０２）。
【０１２３】
以上、本実施形態に係る車両システム１００によれば、車両Ｖの運転状態が操作量Ｔに応じて切り換わる場合に、介入判定閾値Ｔｋ及び手動運転開始閾値Ｔｈに対する操作量Ｔの状態を表示部７ａに表示するので、運転者は車両Ｖの運転状態が切り替わるまでの操作量Ｔを把握することができる。従って、この車両システム１００によれば、運転者が意図に沿ったタイミングで操作量Ｔによる車両Ｖの運転状態の切り換えを行うことができる。
【０１２４】
なお、上述したように車両システム１００は、自動運転状態と手動運転状態の二つの運転状態にのみ切り替え可能な態様であってもよい。この場合、車両システム１００は、手動運転開始閾値Ｔｈに対する操作量Ｔの状態を表示部７ａに表示するので、運転者は車両Ｖの運転状態が手動運転状態に切り替わるまでの操作量Ｔを把握することができ、運転者が意図に沿ったタイミングで操作量Ｔによる手動運転状態への切り換えを行うことができる。同様に、車両システム１００は、協調運転状態と手動運転状態の二つの運転状態にのみ切り替え可能な態様であってもよい。この場合も、車両システム１００は、手動運転開始閾値Ｔｈに対する操作量Ｔの状態を表示部７ａに表示するので、運転者が意図に沿ったタイミングで操作量Ｔによる手動運転状態への切り換えを行うことができる。
【０１２５】
以上、本発明の好適な実施形態について説明したが、本発明は上述した実施形態に限定されるものではない。本発明は、上述した実施形態を始めとして、当業者の知識に基づいて種々の変更、改良を施した様々な形態で実施することができる。
【０１２６】
［変形例１］
上述した実施形態では、自動運転状態から協調運転状態への切り換えの閾値と、協調運転状態から自動運転状態への切り換えの閾値とを、同一の閾値を用いた場合を説明したが、同一でない閾値を用いてもよい。図１４（Ａ）は、操作量Ｔの増加による運転状態の遷移の他の例を説明する図である。図１４（Ａ）に示すように、車両システム１００は、例えば、自動運転状態から協調運転状態への切り換えの閾値を介入判定閾値Ｔｋとし、協調運転状態から自動運転状態への切り換えの閾値を自動運転開始閾値Ｔｆとすることができる。つまり、車両システム１００は、車両Ｖの運転状態が自動運転状態から協調運転状態へ切り換えられた後、操作量Ｔが介入判定閾値Ｔｋ未満になったときであっても自動運転開始閾値Ｔｆ以上である場合には、車両Ｖの運転状態を協調運転状態に維持する。このようにヒステリシスを設けることにより、閾値付近で状態の切り換えが頻発することを避けることができる。自動運転開始閾値Ｔｆは、介入判定閾値Ｔｋよりも小さい任意の値である。具体的には、操作量が介入判定閾値Ｔ１にほぼ等しいときに、運転状態の切り換えが頻発することを回避することができる。
【０１２７】
図１４（Ａ）に示すように、現在の運転状態によって切り換えの閾値が変更される場合、情報出力部１８は、現在の運転状態によって表示部７ａに表示する閾値を変更する。情報出力部１８は、例えば、車両Ｖの運転状態が自動運転状態の場合、自動運転開始閾値Ｔｆを表示せず、介入判定閾値Ｔｋ及び手動運転開始閾値Ｔｈを表示する。すなわち、情報出力部１８は、介入判定閾値Ｔｋ及び手動運転開始閾値Ｔｈに対する操作量Ｔの状態を表示部７ａに表示する。一方、情報出力部１８は、例えば、車両Ｖの運転状態が協調運転状態の場合、介入判定閾値Ｔｋを表示せず、自動運転開始閾値Ｔｆ及び手動運転開始閾値Ｔｈを表示する。すなわち、情報出力部１８は、自動運転開始閾値Ｔｆ及び手動運転開始閾値Ｔｈに対する操作量Ｔの状態を表示部７ａに表示する。また、情報出力部１８は、例えば、車両Ｖの運転状態が手動運転状態の場合も、介入判定閾値Ｔｋを表示せず、自動運転開始閾値Ｔｆ及び手動運転開始閾値Ｔｈを表示する。或いは、情報出力部１８は、車両Ｖの運転状態が手動運転状態の場合、手動運転開始閾値Ｔｈのみを表示してもよい。
【０１２８】
図１４（Ａ）に示すように、現在の運転状態によって切り換えの閾値を変更する場合、情報出力部１８は、移行後通知及び移行前通知のタイミングも変更する。情報出力部１８は、例えば、車両Ｖの運転状態が自動運転状態の場合に、操作量Ｔが増加して介入判定閾値Ｔｋに至ったとき、移行後通知をオンにする。情報出力部１８は、移行後通知を開始してから一定時間が経過した場合、移行後通知をオフにする。
【０１２９】
なお、情報出力部１８は、操作量Ｔの増加に応じて移行後通知をオフにしてもよい。図１４（Ｂ）は、操作量Ｔの増加と移行後通知のオンオフの関係の他の例を説明する図である。図１４（Ａ）及び図１４（Ｂ）に示すように、情報出力部１８は、例えば、車両Ｖの運転状態が自動運転状態の場合、操作量Ｔが増加して介入判定閾値Ｔｋに至ってから設定値Ｔｋ１に至るまでの間、移行後通知を行う。すなわち、情報出力部１８は、操作量Ｔが増加して介入判定閾値Ｔｋに至った場合に移行後通知をオンにすると共に、操作量Ｔが更に増加して設定値Ｔｋ１に至った場合に移行後通知をオフにする。
【０１３０】
また、情報出力部１８は、例えば、車両Ｖの運転状態が協調運転状態の場合に、操作量Ｔが増加して設定値Ｔｈ０に至ったとき、移行前通知をオンにする。情報出力部１８は、移行前通知を開始してから一定時間が経過した場合、移行前通知をオフにする。
【０１３１】
なお、情報出力部１８は、操作量Ｔの増加に応じて移行前通知をオフにしてもよい。図１４（Ｃ）は、操作量Ｔの増加と移行前通知のオンオフの関係の他の例を説明する図である。図１４（Ａ）及び図１４（Ｃ）に示すように、情報出力部１８は、例えば、車両Ｖの運転状態が協調運転状態の場合、操作量Ｔが増加して設定値Ｔｈ０に至ってから手動運転開始閾値Ｔｈに至るまでの間、移行前通知を行う。
【０１３２】
続いて、図１５（Ａ）は、操作量Ｔの減少による運転状態の遷移の他の例を説明する図である。図１５（Ａ）に示すように、情報出力部１８は、車両Ｖの運転状態が協調運転状態の場合に、操作量Ｔが減少して介入判定閾値Ｔｋ未満になったとしても、運転状態が自動運転状態に移行しないため移行後通知を行わない。情報出力部１８は、例えば、車両Ｖの運転状態が協調運転状態の場合に、操作量Ｔが減少して自動運転開始閾値Ｔｆ未満になったとき、移行後通知をオンにする。情報出力部１８は、移行後通知を開始してから一定時間が経過した場合、移行後通知をオフにする。
【０１３３】
なお、情報出力部１８は、操作量Ｔの減少に応じて移行後通知をオフにしてもよい。図１５（Ｂ）は、操作量Ｔの減少と移行後通知のオンオフの関係の他の例を説明する図である。図１５（Ａ）及び図１５（Ｂ）に示すように、情報出力部１８は、例えば、車両Ｖの運転状態が協調運転状態の場合、操作量Ｔが減少して自動運転開始閾値Ｔｆｆ未満になってから設定値Ｔｆ０に至るまでの間、移行後通知を行う。設定値Ｔｆ０は、自動運転開始閾値Ｔｆよりも小さい任意の値である。
【０１３４】
また、情報出力部１８は、例えば、車両Ｖの運転状態が協調運転状態の場合に、操作量Ｔが減少して設定値Ｔｆ１未満になったとき、移行前通知をオンにする。設定値Ｔｆ１は、自動運転開始閾値Ｔｆより大きく、介入判定閾値Ｔｋより小さい任意の値である。情報出力部１８は、移行前通知を開始してから一定時間が経過した場合、移行前通知をオフにする。
【０１３５】
なお、情報出力部１８は、操作量Ｔの減少に応じて移行前通知をオフにしてもよい。図１５（Ｃ）は、操作量Ｔの減少と移行前通知のオンオフの関係の他の例を説明する図である。図１５（Ａ）及び図１５（Ｃ）に示すように、情報出力部１８は、例えば、車両Ｖの運転状態が協調運転状態の場合、操作量Ｔが減少して設定値Ｔｆ１未満になってから自動運転開始閾値Ｔｆ未満になるまでの間、移行前通知を行う。
【０１３６】
［変形例２］
上述した実施形態の協調運転状態では、運転者の操作量と、走行計画に基づく制御目標値とを重み付けした値を用いて協調運転を行ってもよい。このように設定することで、協調運転状態におけるシステム介入度合いを変更することができるので、車両挙動を考慮して運転状態の推移を行うことができる。例えば、制御目標が操舵トルクの場合、運転者の操舵トルクをＴＤ、システム入力トルクをＴｓとすると、以下の数式を用いて目標操舵トルクＴＲを導出してもよい。
ＴＲ＝ｗ１・ＴＤ＋ｗ２・Ｔｓ
なお、ｗ１及びｗ２が重みである。重みｗ１，ｗ２は、定数であってもよいし、可変であってもよい。重みｗ１，ｗ２は、例えば車両Ｖの速度に応じて変更してもよい。
【０１３７】
図１６（Ａ）は、操作量Ｔの増加による運転状態の遷移の更に他の例を説明する図である。図１６（Ａ）は、協調運転状態における重み付けの変更の一例を説明する図である。図１６（Ａ）では、図１６（Ａ）に示すように、車両システム１００は、介入判定閾値Ｔｋよりも大きく手動運転開始閾値Ｔｈよりも小さい中間閾値Ｔｍを設定し、介入判定閾値Ｔｋと中間閾値Ｔｍの間の区間Ｍ１における重みｗ１，ｗ２と、中間閾値Ｔｍと手動運転開始閾値Ｔｈの間の区間Ｍ２における重みｗ１，ｗ２とを異ならせている。ここでは、区間Ｍ１では、走行計画に基づく制御目標値の方が運転者の操作量よりも重みを大きく設定し（ｗ１＜ｗ２）、区間Ｍ２では、走行計画に基づく制御目標値の方が運転者の操作量よりも重みを小さく設定している（ｗ１＞ｗ２）。このように、閾値を設定して協調運転状態における重み付けの変更を行ってもよい。なお、図１６（Ａ）では、閾値を１つ設けて重みを変更する例を説明したが、２以上の閾値を設けて重みを変更してもよい。
【０１３８】
図１６（Ａ）に示すように、情報出力部１８は、例えば、介入判定閾値Ｔｋ、中間閾値Ｔｍ、及び手動運転開始閾値Ｔｈの三つの閾値を用いる場合、全ての閾値を表示部７ａに表示する。情報出力部１８は、介入判定閾値Ｔｋ、中間閾値Ｔｍ、及び手動運転開始閾値Ｔｈの三つの閾値に対する操作量Ｔの状態を表示部７ａに表示する。
【０１３９】
情報出力部１８は、例えば、中間閾値Ｔｍも、図４〜図６に示す介入判定閾値Ｔｋ及び手動運転開始閾値Ｔｈと同様に表示する。或いは、情報出力部１８は、重み付けという内部パラメータの閾値である中間閾値Ｔｍを、介入判定閾値Ｔｋ及び手動運転開始閾値Ｔｈと比べて弱い表示としてもよい。すなわち、情報出力部１８は、例えば、図５に示す表示例２において、Ｔｍの文字を表示せず、介入判定閾値Ｔｋ及び手動運転開始閾値Ｔｈの間に、色彩の違いによる境界線又は輝度の違いによる境界線として中間閾値Ｔｍを表わしてもよい。図５に示す表示例３及び表示例４においても、同様の手法により中間閾値Ｔｍを弱く表示することができる。
【０１４０】
図１６（Ａ）に示すように、情報出力部１８は、操作量Ｔが増加して介入判定閾値Ｔｋ、中間閾値Ｔｍ、又は手動運転開始閾値Ｔｈの何れかに至ったとき、移行後通知をオンにする。情報出力部１８は、移行後通知を開始してから一定時間が経過した場合、移行後通知をオフにする。
【０１４１】
なお、情報出力部１８は、操作量Ｔの増加に応じて移行後通知をオフにしてもよい。図１６（Ｂ）は、操作量Ｔの増加と移行後通知のオンオフの関係の更に他の例を説明する図である。図１６（Ａ）及び図１６（Ｂ）に示すように、情報出力部１８は、例えば、車両Ｖの運転状態が自動運転状態の場合、操作量Ｔが増加して介入判定閾値Ｔｋに至ってから設定値Ｔｋ１に至るまでの間、移行後通知を行う。また、情報出力部１８は、車両Ｖの運転状態が協調運転状態の場合、操作量Ｔが増加して中間閾値Ｔｍに至ってから設定値Ｔｍ１に至るまでの間、移行後通知を行う。更に、情報出力部１８は、操作量Ｔが増加して手動運転開始閾値Ｔｈに至ってから設定値Ｔｈ１に至るまでの間、移行後通知を行う。設定値Ｔｍ１は、中間閾値Ｔｍより大きく、手動運転開始閾値Ｔｈより小さい任意の値である。
【０１４２】
また、情報出力部１８は、例えば、操作量Ｔが増加して設定値Ｔｋ０、設定値Ｔｍ０、又は設定値Ｔｈ０に至ったとき、移行前通知をオンにする。情報出力部１８は、移行前通知を開始してから一定時間が経過した場合、移行前通知をオフにする。設定値Ｔｍ０は、介入判定閾値Ｔｋより大きく、中間閾値Ｔｍより小さい任意の値である。
【０１４３】
なお、情報出力部１８は、操作量Ｔの増加に応じて移行前通知をオフにしてもよい。図１６（Ｃ）は、操作量Ｔの増加と移行前通知のオンオフの関係の他の例を説明する図である。図１６（Ａ）及び図１６（Ｃ）に示すように、情報出力部１８は、車両Ｖの運転状態が自動運転状態の場合、操作量Ｔが増加して設定値Ｔｋ０に至ってから介入判定閾値Ｔｋに至るまでの間、移行前通知を行ってもよい。また、情報出力部１８は、車両Ｖの運転状態が協調運転状態の場合、操作量Ｔが増加して設定値Ｔｍ０に至ってから中間閾値Ｔｍに至るまでの間、移行前通知を行ってもよい。更に、情報出力部１８は、車両Ｖの運転状態が協調運転状態の場合、操作量Ｔが増加して設定値Ｔｈ０に至ってから手動運転開始閾値Ｔｈに至るまでの間、移行前通知を行ってもよい。
【０１４４】
その他、図１６（Ｂ）及び図１６（Ｃ）において、情報出力部１８は、中間閾値Ｔｍに関する移行後通知及び移行前通知を行ったが、中間閾値Ｔｍに係る移行後通知及び移行前通知は行わなくてもよい。同様に、情報出力部１８は、介入判定閾値Ｔｋに関する移行後通知及び移行前通知を行わなくてもよい。なお、情報出力部１８は、操作量Ｔが減少する場合においても、中間閾値Ｔｍに関する移行後通知及び移行前通知の何れか一方を行ってもよく、何れも行わなくてもよい。
【符号の説明】
【０１４５】
１…外部センサ、２…ＧＰＳ受信部、３…内部センサ、４…地図データベース、５…ナビゲーションシステム、６…アクチュエータ、７…ＨＭＩ、７ａ…表示部、７ｂ…音声出力部、１１…車両位置認識部、１２…外部状況認識部、１３…走行状態認識部、１４…走行計画生成部、１５…運転操作情報取得部、１６…運転状態切換部、１７…走行制御部、１８…情報出力部、７０…自動運転ＯＮ／ＯＦＦスイッチ、１００…車両システム、Ｔｈ…手動運転開始閾値（第１の閾値）、Ｔｋ…介入判定閾値（第２の閾値）。
【図１】
2016133984.tif 000003
【図２】
2016133984.tif 000004
【図３】
2016133984.tif 000005
【図４】
2016133984.tif 000006
【図５】
2016133984.tif 000007
【図６】
2016133984.tif 000008
【図７】
2016133984.tif 000009
【図８】
2016133984.tif 000010
【図９】
2016133984.tif 000011
【図１０】
2016133984.tif 000012
【図１１】
2016133984.tif 000013
【図１２】
2016133984.tif 000014
【図１３】
2016133984.tif 000015
【図１４】
2016133984.tif 000016
【図１５】
2016133984.tif 000017
【図１６】
2016133984.tif 000018